(57)【特許請求の範囲】
【請求項１】
複数のボックス構成体により形成された基板ボックスと、当該基板ボックスの内部空間に収容された制御基板と、を有する制御基板装置と、
当該制御基板装置を支持する支持手段と、
を備え、
前記複数のボックス構成体として第１構成体と第２構成体とを備え、
前記制御基板装置は、前記基板ボックスの開放を阻止するように前記第１構成体と前記第２構成体とを結合するボックス側結合手段を備え、
第１箇所の破壊を要する所定の結合解除操作を行うことにより、前記ボックス側結合手段を利用した前記第１構成体と前記第２構成体との結合を解除することが可能な構成であり、
前記支持手段は、当該支持手段からの前記制御基板装置の分離を阻止するように当該支持手段と前記制御基板装置とを結合する支持側結合手段を備え、
第２箇所の破壊を要する特定の結合解除操作を行うことにより、前記支持側結合手段を利用した前記支持手段と前記制御基板装置との結合を解除することが可能な構成であり、
前記支持手段及び前記制御基板装置の両者を分離する方向にこれらの相対位置を変化させていない状況において、前記所定の結合解除操作が制限され、
当該遊技機は、前記支持手段及び前記制御基板装置の両者を分離する方向にこれらの相対位置を変化させるためには、これら一体物を通常位置から変位させる必要があるように、両者の分離方向を規制する分離方向規制手段を備えていることを特徴とする遊技機。
【発明の詳細な説明】
【技術分野】
【０００１】
本発明は、遊技機に関するものである。
【背景技術】
【０００２】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。
【０００３】
この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。
【０００４】
このような不正行為に対処すべく、例えば、基板ボックスに封印構造（いわゆる、カシメ構造）を設けて基板ボックスの開封時には破壊等による開封履歴を残すようにする等の不正対策が採用されている（例えば特許文献１参照）。このような不正対策は、基板ボックスが開封された事実や制御基板が交換された事実を目視確認する場合にその確認作業を補助するものであり、またこのような不正対策の存在により不正行為を躊躇させる効果がある。
【先行技術文献】
【特許文献】
【０００５】
【特許文献１】特開２００３−１８０９１７号公報
【発明の概要】
【発明が解決しようとする課題】
【０００６】
しかしながら、上記封印構造の不正対策が施されていても未だに不正行為が行われているのが実情であり、制御装置における防犯機能の向上には改善の余地がある。
【０００７】
本発明は、上記例示した事情等に鑑みてなされたものであり、制御基板に対する不正行為を好適に抑制することが可能な遊技機を提供することを目的とするものである。
【課題を解決するための手段】
【０００８】
上記課題を解決すべく請求項１記載の発明は、複数のボックス構成体により形成された基板ボックスと、当該基板ボックスの内部空間に収容された制御基板と、を有する制御基板装置と、
当該制御基板装置を支持する支持手段と、
を備え、
前記複数のボックス構成体として第１構成体と第２構成体とを備え、
前記制御基板装置は、前記基板ボックスの開放を阻止するように前記第１構成体と前記第２構成体とを結合するボックス側結合手段を備え、
第１箇所の破壊を要する所定の結合解除操作を行うことにより、前記ボックス側結合手段を利用した前記第１構成体と前記第２構成体との結合を解除することが可能な構成であり、
前記支持手段は、当該支持手段からの前記制御基板装置の分離を阻止するように当該支持手段と前記制御基板装置とを結合する支持側結合手段を備え、
第２箇所の破壊を要する特定の結合解除操作を行うことにより、前記支持側結合手段を利用した前記支持手段と前記制御基板装置との結合を解除することが可能な構成であり、
前記支持手段及び前記制御基板装置の両者を分離する方向にこれらの相対位置を変化させていない状況において、前記所定の結合解除操作が制限され、
当該遊技機は、前記支持手段及び前記制御基板装置の両者を分離する方向にこれらの相対位置を変化させるためには、これら一体物を通常位置から変位させる必要があるように、両者の分離方向を規制する分離方向規制手段を備えていることを特徴とする。
【発明の効果】
【０００９】
本発明によれば、制御基板に対する不正行為を好適に抑制することが可能となる。
【図面の簡単な説明】
【００１０】
【図１】第１の実施形態におけるパチンコ機の構成を示す前方から見た斜視図である。
【図２】遊技機本体の主要な構成を分解して示す分解斜視図である。
【図３】遊技盤の構成を示す正面図である。
【図４】内枠の構成を示す背面図である。
【図５】（ａ）通常位置に配置されている主制御装置ユニットを示す斜視図であり、（ｂ）回動位置に配置されている主制御装置ユニットを示す側面図である。
【図６】主制御装置ユニットの分解斜視図である。
【図７】第１支持ユニットが設けられた端部側から見た主制御装置の分解斜視図である。
【図８】第２支持ユニットが設けられた端部側から見た主制御装置の分解斜視図である。
【図９】（ａ）ボックス側結合部の構成を説明するための一部を拡大して示す主制御装置の正面図であり、（ｂ）ボックス側結合部の構成を説明するための一部を拡大して示す主制御装置の背面図であり、（ｃ）ボックス側結合部の構成を説明するための一部を拡大して示す主制御装置の斜視図である。
【図１０】（ａ）主制御装置から第１支持ユニットを分離させた状態を示す表面側から見た斜視図であり、（ｂ）主制御装置から第１支持ユニットを分離させた状態を示す裏面側から見た斜視図である。
【図１１】（ａ），（ｂ）第１支持ユニットの分解斜視図である。
【図１２】（ａ）支持用部材の表面側から見た斜視図であり、（ｂ）支持用部材の裏面側から見た斜視図であり、（ｃ）結合用部材の表面側から見た斜視図であり、（ｄ）結合用部材の裏面側から見た斜視図である。
【図１３】第１支持ユニットが装着された側の一部を拡大して示す主制御装置ユニットの正面図である。
【図１４】図１３のＡ―Ａ線の切断部端面図である。
【図１５】（ａ）〜（ｄ）第１ボックス側結合部による表側構成体と裏側構成体との結合を解除する場合の作業の流れを説明する図である。
【図１６】パチンコ機の電気的構成を示すブロック図である。
【図１７】（ａ），（ｂ）第２の実施形態における第１支持ユニットの分解斜視図である。
【図１８】（ａ），（ｂ）主制御装置ユニットの変形例を説明するための模式図である。
【図１９】（ａ），（ｂ）主制御装置ユニットの変形例を説明するための模式図である。
【発明を実施するための形態】
【００１１】
＜第１の実施形態＞
以下、遊技機の一種であるパチンコ遊技機（以下、「パチンコ機」という）の第１の実施形態を、図面に基づいて詳細に説明する。図１はパチンコ機１０を前方から見た斜視図、図２はパチンコ機１０を構成する遊技機本体１２の分解斜視図である。なお、図２では便宜上、パチンコ機１０の遊技領域内の構成を省略している。
【００１２】
パチンコ機１０は、当該パチンコ機１０の外殻を形成する外枠１１と、この外枠１１に対して前方に回動可能に取り付けられた遊技機本体１２とを有している。なお、パチンコ機１０において外枠１１は必須の構成ではなく、遊技場の島設備に外枠１１が備え付けられた構成としてもよい。
【００１３】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００１４】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００１５】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１６】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１７】
内枠１３には、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている。
【００１８】
次に、遊技機本体１２の前面側の構成について説明する。
【００１９】
図２に示すように、内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００２０】
ここで、遊技盤３３の構成を図３に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４、可変入賞装置３５及び作動口３６に遊技球が入ると、それが図示しない検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材が配設されている。
【００２１】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２２】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２３】
遊技結果表示部として設けられた第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２４】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２５】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。遊技球発射機構５０は、図２に示すように、樹脂ベース３１における窓孔３２の下方に取り付けられており、前扉枠１４に設けられたハンドル装置５９が操作されることにより遊技球の発射動作が行われる。
【００２６】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、窓パネル５６が嵌め込まれている。窓パネル５６は、ガラスによって無色透明に形成されているが、これに限定されることはなく合成樹脂によって無色透明に形成してもよい。窓部５５の周囲には、各種ランプ等の発光手段が設けられている。また、左上及び右上の位置には、遊技状態に応じた効果音などが出力されるスピーカ部が設けられている。
【００２７】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００２８】
次に、遊技機本体１２の背面側の構成について説明する。図４は、内枠１３の背面図である。
【００２９】
図４に示すように、内枠１３（遊技盤３３）の背面には、主制御装置ユニット６１及び音声ランプ制御装置ユニット６５が搭載されている。これらのうち主制御装置ユニット６１の具体的な構成については、後に詳細に説明する。
【００３０】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置ユニット６１に搭載された主制御装置９１からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３１】
裏パックユニット１５は、図２に示すように、裏パック７１を備えており、当該裏パック７１に対して、払出機構部７２及び制御装置集合ユニット７３が取り付けられている。なお、裏パック７１は透明性となるように合成樹脂により形成されており、主制御装置ユニット６１の一部や音声ランプ制御装置ユニット６５などを後方から覆うように、後方に突出し略直方体形状をなす保護カバー部７５を有している。
【００３２】
払出機構部７２は、保護カバー部７５を迂回するようにして配設されており、遊技場の島設備から供給される遊技球が逐次補給されるタンク７７と、当該タンク７７に貯留された遊技球を払い出すための払出装置７８と、を備えている。払出装置７８より払い出された遊技球は、当該払出装置７８の下流側に設けられた図示しない払出通路を通じて、上皿５７ａ又は下皿５８ａに排出される。また、払出機構部７２には、例えば交流２４ボルトの主電源が供給されるとともに、電源のＯＮ操作及びＯＦＦ操作を行うための電源スイッチを有する裏パック基板が搭載されている。
【００３３】
制御装置集合ユニット７３は、払出制御装置８２と電源及び発射制御装置８３とを備えている。これら払出制御装置８２と電源及び発射制御装置８３とは、払出制御装置８２がパチンコ機１０後方となるように前後に重ねて配置されている。
【００３４】
払出制御装置８２は、払出装置７８を制御する払出制御基板が基板ボックス内に収容されて構成されている。電源及び発射制御装置８３は、電源及び発射制御基板が基板ボックス内に収容されて構成されており、当該基板により、各種制御装置等で要する所定の電力が生成されて出力され、さらに遊技者によるハンドル装置５９の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００３５】
＜主制御装置ユニット６１＞
次に、主制御装置ユニット６１の構成を、図５及び図６を参照しながら説明する。図５（ａ）及び図５（ｂ）は主制御装置ユニット６１の斜視図であり、図５（ａ）は主制御装置ユニット６１が通常位置に配置されている状態を示し、図５（ｂ）は主制御装置ユニット６１が回動位置に配置されている状態を示す。また、図６は主制御装置ユニット６１の分解斜視図である。
【００３６】
主制御装置ユニット６１は、図６に示すように、主制御装置９１を備えているとともに、当該主制御装置９１を遊技盤３３の背面に支持させるために利用される一対の支持ユニット９２，９３を備えている。
【００３７】
主制御装置９１は、厚み方向の寸法が最も小さく、さらに表面及び裏面の外縁がそれぞれ略長方形となる直方体形状となっており、長手方向の両端のうち一方に第１支持ユニット９２が設けられているとともに、他方に第２支持ユニット９３が設けられている。この場合、主制御装置９１は、その長手方向が横方向となるようにして遊技盤３３の背面に支持されているため、第１支持ユニット９２及び第２支持ユニット９３のそれぞれは主制御装置９１の横方向の端部に設けられていることになる。
【００３８】
第１支持ユニット９２は、詳細は後述するように、取り外しに際して部材の破壊を要するように取り外しづらい態様で主制御装置９１に結合されている。第１支持ユニット９２には、外方に突出させるようにして回動軸部２２４が形成されており、当該回動軸部２２４は遊技盤３３の背面に装着された軸受けユニット９４にて受けられている。
【００３９】
軸受けユニット９４は、遊技盤３３の背面に重ね合わせた状態でネジ止めされているベース部材９５と、当該ベース部材９５からパチンコ機１０後方に突出させて設けられ、第１支持ユニット９２の回動軸部２２４を受ける軸受け部材９６と、を備えている。軸受け部材９６は、縦方向に貫通する孔部９６ａを有しており、当該孔部９６ａに第１支持ユニット９２の回動軸部２２４が挿通されていることにより、主制御装置ユニット６１は縦方向を回動軸として、遊技盤３３に対して回動可能に支持されている。つまり、主制御装置ユニット６１は、図５（ａ）に示すように主制御装置ユニット６１の裏面が遊技盤３３の背面に重なる通常位置と、図５（ｂ）に示すように主制御装置ユニット６１の裏面が遊技盤３３の背面からパチンコ機１０後方に向けて離間されることになる回動位置との間で回動可能となっている。
【００４０】
回動軸部２２４には、図６（ａ）に示すように、その周面に外方に突出させて抜け止め突起２２４ａが一体形成されており、当該抜け止め突起２２４ａに対応させて軸受け部材９６の孔部９６ａの周面には図示しない抜け止め受け部が形成されている。抜け止め受け部により抜け止め突起２２４ａが受けられた状態は、主制御装置ユニット６１が通常位置に配置されている場合、及びいずれかの回動位置に配置されている場合のいずれにおいても維持される。これにより、第１支持ユニット９２を軸受けユニット９４から取り外すことが不可となっている。
【００４１】
第２支持ユニット９３は、主制御装置９１において第１支持ユニット９２が結合された側とは逆側の端部を挿入するようにして設けられている。主制御装置９１は、詳細は後述するように表側構成体１２２と裏側構成体１２３とを組み合わせることにより形成される基板ボックス１２１を備えているが、第２支持ユニット９３の支持ベース１０１はこれら表側構成体１２２及び裏側構成体１２３を基板ボックス１２１の厚み方向に挟み込むように設けられている。つまり、支持ベース１０１は、表側構成体１２２に対してパチンコ機１０後側から対向する面と、裏側構成体１２３に対してパチンコ機１０前側から対向する面とを有している。ちなみに、支持ベース１０１は、主制御装置９１において当該支持ベース１０１により覆われた部位を当該支持ベース１０１の外側から目視可能となるようにポリカーボネートなどの合成樹脂を利用して透明（具体的には無色透明）に形成されている。
【００４２】
支持ベース１０１は、基板ボックス１２１に装着された状態において当該基板ボックス１２１に係止される係止箇所を有しており、支持ベース１０１が基板ボックス１２１に装着され当該支持ベース１０１により表側構成体１２２及び裏側構成体１２３が厚み方向に挟み込まれている状態において、当該支持ベース１０１は基板ボックス１２１に係止され、その係止状態を解除しないと基板ボックス１２１から取り外せない構成となっている。そして、上記のとおり支持ベース１０１は表側構成体１２２及び裏側構成体１２３を基板ボックス１２１の厚み方向に挟み込むようにして設けられており、その厚み方向における表側構成体１２２及び裏側構成体１２３に対する支持ベース１０１の距離は、表側構成体１２２及び裏側構成体１２３のうち一方を他方に対して変位させて基板ボックス１２１の内部空間を開放させるのに必要な両構成体１２２，１２３の上記厚み方向の変位量よりも小さくなっている。したがって、第２支持ユニット９３が主制御装置９１に装着されている状態では、基板ボックス１２１を開放させることが不可となっている。
【００４３】
支持ベース１０１には、主制御装置９１の裏面が遊技盤３３の背面に重なる通常位置に当該主制御装置９１が配置された状態において当該主制御装置９１の回動を阻止するための連結部材１０２が上下一対となるように設けられている。当該連結部材１０２は、遊技盤３３の背面に設けられた図示しない受け部材に連結可能となっており、連結部材１０２を受け部材に対向させた状態で受け部材に向けて押圧することで当該連結部材１０２が受け部材と連結され、当該連結状態において連結部材１０２を連結操作時の押圧方向とは逆方向に引っ張ることでその連結状態が解除される。
【００４４】
ちなみに、第１支持ユニット９２は主制御装置９１において内枠１３の回動先端側に存在する端部に設けられており、第２支持ユニット９３は、主制御装置９１において内枠１３の回動基端側に存在する端部に設けられているが、これらの関係が逆であってもよい。
【００４５】
次に、主制御装置９１の構成を、図６に加えて図７及び図８を参照しながら説明する。図７は第１支持ユニット９２が設けられた端部側から見た主制御装置９１の分解斜視図であり、図８は第２支持ユニット９３が設けられた端部側から見た主制御装置９１の分解斜視図である。
【００４６】
主制御装置９１は、図７及び図８に示すように、主制御基板１１１と基板ボックス１２１とを備えており、当該基板ボックス１２１の内部空間に主制御基板１１１が収容された構成となっている。
【００４７】
主制御基板１１１は、主たる制御を司るＣＰＵ、遊技プログラムを記憶したＲＯＭ、遊技の進行に応じた必要なデータを記憶するＲＡＭ等を備えている。本実施形態では、ＣＰＵ、ＲＯＭ及びＲＡＭがＣＰＵチップ１１２に１チップ化されている。また、詳細な説明は省略するが、入出力ドライバ用ＩＣチップ１１３及びラッチ用ＩＣチップ１１４が搭載されている。また、図示は省略するが、主制御基板１１１には、コンデンサや抵抗などの各種素子や複数のコネクタが搭載されている。
【００４８】
主制御基板１１１においてＣＰＵチップ１１２などの各種素子やコネクタは全て同一の板面上に搭載されており、その逆側の板面にて半田付けされている。つまり、主制御基板１１１は、一方の板面が素子搭載面１１５となっており、他方の板面が半田面となっている。なお、半田面とは、素子搭載面１１５に搭載される各種素子の半田付け部分が設けられる面であるが、当該半田面に対して回路パターンが形成されていてもよい。また、両板面が素子搭載面として構成されていてもよい。
【００４９】
基板ボックス１２１は、複数のボックス構成体として、表側構成体１２２と裏側構成体１２３とを備えている。これら表側構成体１２２及び裏側構成体１２３は、基板ボックス１２１内に収容された主制御基板１１１の素子搭載面１１５及び半田面を基板ボックス１２１外から視認可能なようにポリカーボネートなどの合成樹脂を利用して透明（具体的には無色透明）に形成されている。
【００５０】
表側構成体１２２及び裏側構成体１２３が組み合わされることにより、図６に示すように、基板ボックス１２１は直方体形状に形成されており、所定の内部空間を有している。詳細には、表側構成体１２２は、図７及び図８に示すように、当該表側構成体１２２の周縁を規定する表側周縁部１２４と、当該表側周縁部１２４から一方に膨出するようにして形成された膨出部１２５とが一体形成されてなる。これら表側周縁部１２４と膨出部１２５とにより、表側構成体１２２は膨出部１２５の膨出側とは反対側に開放された略直方体形状をなしている。
【００５１】
表側構成体１２２にはその背面側から主制御基板１１１がネジ止めされている。この表側構成体１２２への主制御基板１１１のネジ止めは、主制御基板１１１の半田面側から行われており、主制御基板１１１の素子搭載面１１５に搭載された各種素子は、主制御基板１１１と表側構成体１２２との間の領域内に収容されている。
【００５２】
主制御基板１１１が一体化された表側構成体１２２に、裏側構成体１２３が固定されている。裏側構成体１２３は、正面視で四角形状、具体的には長方形状をなす略板状に形成されており、平面状に形成された平面部１２６と、当該平面部１２６の周縁を囲むようにして形成された裏側周縁部１２７とが一体形成されてなる。
【００５３】
表側構成体１２２にその裏面側から裏側構成体１２３を固定することにより、表側構成体１２２の表側周縁部１２４と裏側構成体１２３の裏側周縁部１２７とが重なり、膨出部１２５の裏面側への開放部分が裏側構成体１２３の平面部１２６により閉塞される。この場合、主制御基板１１１の半田面は、裏側構成体１２３により覆われている。つまり、主制御基板１１１の素子搭載面１１５はその全体が表側構成体１２２と対向しており、主制御基板１１１の半田面はその全体が裏側構成体１２３と対向している。上記構成の主制御装置９１は、図４に示すように、表側構成体１２２の表面がパチンコ機１０後方を向くようにして搭載されている。
【００５４】
表側構成体１２２の表側周縁部１２４には、裏側構成体１２３に向けて起立させてフック部１２８が一体形成されている。フック部１２８は複数設けられており、これらフック部１２８は表側周縁部１２４の対向する各長辺部（具体的には、上縁部及び下縁部）において当該長辺部の延びる方向に沿って等間隔で形成されている。各フック部１２８は、途中位置にて短辺部側に向けて折り曲げられており、その折り曲げられた方向はいずれも同一方向となっている。
【００５５】
各フック部１２８に１対１で対応させて、裏側構成体１２３の裏側周縁部１２７には対応するフック部１２８を挿入可能なフック受け１２９が形成されている。フック受け１２９は、フック部１２８において表側構成体１２２の長辺部に沿うようにして形成された自由端側領域に対して表側構成体１２２側から対向する部位を有している。フック受け１２９にフック部１２８が受けられている状態において、表側構成体１２２及び裏側構成体１２３のうち一方を他方に対して基板ボックス１２１の厚み方向に離間させようとしても、上記対向する部位にフック部１２８の自由端側領域が当接し、当該離間が阻止される。かかる規制を解除するためには、表側構成体１２２及び裏側構成体１２３のうち一方を他方に対して長手方向の一方である規制解除方向にスライド移動させ、上記対向する部位にフック部１２８の自由端側領域が対向しない状態とさせる必要がある。そして、このように対向しない状態とした後に、表側構成体１２２及び裏側構成体１２３のうち一方を他方に対して基板ボックス１２１の厚み方向に離間させることが可能となる。
【００５６】
なお、上記のようにフック部１２８とフック受け１２９とが設けられていることにより、表側構成体１２２と裏側構成体１２３とを組み合わせる場合には、組み合わせ完了位置に対して上記規制解除方向にずれた位置関係となる状態で両構成体１２２，１２３を重ね合わせ、その後に、表側構成体１２２及び裏側構成体１２３のうち一方を他方に対して上記規制解除方向とは逆方向にスライド移動させる必要がある。
【００５７】
基板ボックス１２１には各短辺部のそれぞれに、表側構成体１２２と裏側構成体１２３とを組み合わせ完了位置に配置された状態で結合するための結合手段が設けられている。
【００５８】
当該結合手段として、基板ボックス１２１において第２支持ユニット９３が装着される側の端部には、図８に示すように、貼付板部１３１が一体形成されている。当該貼付板部１３１は、表側構成体１２２に形成された表側貼付板部１３２と、裏側構成体１２３に形成された裏側貼付板部１３３と、を備えており、表側構成体１２２と裏側構成体１２３とが組み合わせ完了位置に配置されることで一の貼付板部１３１を生じさせるように重なり合う。表側貼付板部１３２と裏側貼付板部１３３とは一対の破断ネジを利用して結合されている。
【００５９】
破断ネジとは、ドライバなどの工具の先端を差込可能な頭部と、ネジ溝が形成された側との連結部分の強度が低く設定されたものであり、それ以上締めることができない位置において頭部に上記工具によりさらに所定の力を加えることにより、上記連結部分が切断され、頭部が分離されるものである。つまり、破断ネジは、螺着後において、上記工具を用いて緩める方向へ回転させることを不可とするものである。
【００６０】
なお、螺着後において結合を緩めることができないようにすることができるのであれば、表側貼付板部１３２と裏側貼付板部１３３とを結合する結合具は破断ネジに限定されることはなく周知のワンウェイネジであってもよい。また、ネジにより結合される構成に限定されることはなく、裏側貼付板部１３３に係止部が設けられているとともに、表側貼付板部１３２側から挿入された係止爪が上記係止部に係止され、その係止状態の解除に際しては表側貼付板部１３２及び裏側貼付板部１３３の少なくとも一方を破壊する必要がある構成としてもよい。
【００６１】
貼付板部１３１には、両者の境界を跨ぐようにして図示しない封印シールが貼り付けられている。封印シールは、貼り付けた後に剥がすと粘着剤層が貼付板部１３１側に残り、再貼付不可となるものである。また、封印シールには、識別情報を予め記憶するとともにその識別情報を電波として読取装置に送信可能なＩＣタグが設けられている。当該封印シールを覆うようにして、貼付板部１３１にはシールカバー１３４が設けられている。シールカバー１３４は、封印シールを覆っている状態であっても当該シールカバー１３４の外側に存在する読取装置との間で電波のやり取りを可能とするように合成樹脂により形成されており、さらに内部に存在する封印シールを外部から目視可能とするように透明（具体的には無色透明）に形成されている。また、シールカバー１３４には、図示しないカッターが内蔵されており、当該シールカバー１３４の取り外しに先立って又は取り外し方向への変位に伴って、当該カッターにより封印シールが切断される構成となっている。
【００６２】
図５（ｂ）に示すように、シールカバー１３４の少なくとも一部は、第２支持ユニット９３の支持ベース１０１により外側から覆われており、第２支持ユニット９３を装着した状態においてはシールカバー１３４の取り外しが不可となっている。また、第２支持ユニット９３は、既に説明したとおり、主制御装置９１に係止されているが、その係止箇所はシールカバー１３４ではなく、基板ボックス１２１となっている。これにより、第２支持ユニット９３の係止状態の解除操作や第２支持ユニット９３の取り外し操作に際して、意図せずシールカバー１３４が取り外し方向に変位してしまい、意図せず封印シールが切断されてしまうという事象の発生が抑制されている。また、既に説明したとおり、第２支持ユニット９３の支持ベース１０１は合成樹脂により形成されており、当該支持ベース１０１によりシールカバー１３４が覆われている状態であっても、当該第２支持ユニット９３の外側に存在する読取装置とＩＣタグとの間で電波のやり取りを行うことが可能となっている。さらにまた、既に説明したとおり、第２支持ユニット９３は透明に形成されているため、第２支持ユニット９３が装着されている状態であっても、当該第２支持ユニット９３の外側から封印シールを目視確認することが可能となっている。
【００６３】
次に、基板ボックス１２１において第１支持ユニット９２が装着される側の端部に設けられた結合手段について、図７及び図８に加えて図９を参照しながら説明する。図９（ａ）は当該結合手段の構成を説明するための主制御装置９１の正面図であり、図９（ｂ）は当該結合手段の構成を説明するための主制御装置９１の背面図であり、図９（ｃ）は当該結合手段の構成を説明するための主制御装置９１の斜視図である。
【００６４】
当該結合手段として、表側構成体１２２には、図７に示すように、複数（具体的には４個）の表側結合部１４１，１４２が一体形成されている。これら表側結合部１４１，１４２はそれぞれ、第１支持ユニット９２が装着される側の短辺部において膨出部１２５から側方に延出させて形成されており、各表側結合部１４１，１４２は当該短辺部において所定の間隔で縦方向に並設されている。
【００６５】
表側結合部１４１，１４２に対応させて、裏側構成体１２３の裏側周縁部１２７には裏側結合領域１４３が設けられている。裏側結合領域１４３は、裏側構成体１２３の裏側周縁部１２７に一体形成された結合領域形成部１４４と、当該結合領域形成部１４４に組み付けられる受け金具１４５及び受けカバー１４６と、を備えている。
【００６６】
結合領域形成部１４４は、裏側構成体１２３の裏側周縁部１２７における一方の短辺部において全体又は略全体に亘って形成されており、表側構成体１２２側に向けて開放された溝部１４７が形成されている。溝部１４７は、結合領域形成部１４４の全体に亘って形成されている。
【００６７】
結合領域形成部１４４には、溝部１４７内に挿入された状態で受け金具１４５が固定されている。受け金具１４５は、少なくとも裏側構成体１２３の壁部よりも高強度な金属板を複数箇所で折り曲げることにより形成されており、溝部１４７と同一又は略同一の長さ寸法を有している。
【００６８】
受け金具１４５は、溝部１４７に沿うようにして凹み空間１５１を有するように形成された受けベース部１５２と、当該受けベース部１５２において凹み空間１５１の開放先側の端部から側方に向けて延出させて一体形成された引っ掛け部１５３と、を備えている。なお、引っ掛け部１５３は、凹み空間１５１を区画する一対の区画壁部１５４のそれぞれから側方に向けて延出し、且つ各区画壁部１５４において縦方向に離間させて複数形成されているが、これに限定されることはなく、各区画壁部１５４において縦方向の全体又は略全体に亘って形成されている構成としてもよい。
【００６９】
受け金具１４５は、凹み空間１５１が表側構成体１２２に向けて開放された状態で、受けベース部１５２の外周面が溝部１４７の内周面と重なるように結合領域形成部１４４に設置されている。この場合、引っ掛け部１５３は、結合領域形成部１４４において溝部１４７を区画形成する壁部の先端面に表側構成体１２２側から当接した状態となっている。
【００７０】
上記のように受け金具１４５が設置された結合領域形成部１４４に対して受けカバー１４６が設置されている。受けカバー１４６は、ポリカーボネートなどの合成樹脂を利用して透明に形成されている。受けカバー１４６は、結合領域形成部１４４と同一又は略同一の長さ寸法を有しており、結合領域形成部１４４の溝部１４７の略全体を覆う溝側壁部１６１と、結合領域形成部１４４の外側の側面の略全体を覆う側方壁部１６２と、を備えている。また、受けカバー１４６が結合領域形成部１４４に設置されていることにより、受け金具１４５の引っ掛け部１５３は受けカバー１４６の溝側壁部１６１と結合領域形成部１４４との間で挟持され、受け金具１４５の取り外しが阻止される。また、表側構成体１２２と裏側構成体１２３とが組み合わせ完了位置に配置された場合には、これら表側構成体１２２及び裏側構成体１２３により受けカバー１４６の一部が挟持され、当該受けカバー１４６の取り外しが阻止される。
【００７１】
溝側壁部１６１には、表側構成体１２２の表側結合部１４１，１４２と１対１で対応した複数の結合区画部１６３，１６４が一体形成されており、当該結合区画部１６３，１６４と受け金具１４５とによって、表側結合部１４１，１４２と１対１で対応した裏側結合部１７１，１７２が形成されている。
【００７２】
表側結合部１４１，１４２及び裏側結合部１７１，１７２について詳細には、各表側結合部１４１，１４２のうち内側の２個の表側結合部１４１は相互に同一のサイズ及び同一の構造となっており、これら第１表側結合部１４１は、膨出部１２５の側面において当該膨出部１２５が膨出する方向の略全体に亘って存在しているとともに、当該膨出方向に貫通する貫通孔１８１が形成されている。また、第１表側結合部１４１において膨出部１２５からの突出先側の壁部であって当該突出先側において貫通孔１８１の区画壁を構成する突出先壁部１８２には、裏側構成体１２３の側の端部から膨出部１２５の膨出先側に向けて延びるスリットが短辺部の延在方向に一対存在するように形成されており、当該スリットが形成された箇所では、突出先壁部１８２の高さ寸法が周囲よりも小さい易切断部１８３が生じている。また、突出先壁部１８２において上記スリット間には、幅狭の板状となった突板部１８４が存在している。ニッパなどの工具の先端をスリット内に差し込み一対の易切断部１８３を切断することにより、突板部１８４が突出先壁部１８２から除去される。
【００７３】
第１表側結合部１４１に１対１で対応するように、内側２個の裏側結合部１７１は相互に同一のサイズ及び同一の構造である第１裏側結合部１７１となっている。溝側壁部１６１において第１裏側結合部１７１の結合区画部１６３には、図８に示すように、表側構成体１２２と裏側構成体１２３とが組み合わせ完了位置に配置された状態において第１表側結合部１４１の貫通孔１８１と一致する連通孔１８５が形成されており、当該連通孔１８５により第１表側結合部１４１の貫通孔１８１が受け金具１４５の凹み空間１５１と連通された状態となる。また、第１裏側結合部１７１の結合区画部１６３には、図９（ｃ）に示すように、表側構成体１２２と裏側構成体１２３とが組み合わせ完了位置に配置された状態において膨出部１２５の膨出方向の根元側にて第１表側結合部１４１の周面と対向する第１囲み部１８６が一体形成されている。これにより、第１表側結合部１４１と第１裏側結合部１７１との境界においてこれら結合部１４１，１７１の並設方向に対して直交する方向の合わせ面が生じており、当該境界を通じて不正治具を挿入しようとする行為が行いづらくなっている。
【００７４】
第１囲み部１８６には、表側構成体１２２と裏側構成体１２３とが組み合わせ完了位置に配置された状態において第１表側結合部１４１の突板部１８４に側方から当接又は近い位置にて対向するように規制板部１８７が表側構成体１２２側に向けて突出形成されている。これにより、突板部１８４に外力を加えて側方に撓ませようとしても、それが規制板部１８７との当接により阻止される。但し、規制板部１８７は、突出先壁部１８２の易切断部１８３を側方から覆わないように形成されており、易切断部１８３の切断作業が規制板部１８７により阻害されてしまわないようになっている。
【００７５】
受け金具１４５において第１裏側結合部１７１を生じさせる領域には、区画壁部１５４の一部を凹み空間１５１の内側に向けて突出させることにより、図示しない係止部が形成されている。第１表側結合部１４１及び第１裏側結合部１７１の組み合わせを利用して表側構成体１２２及び裏側構成体１２３を結合させる場合には、Ｌ字金具１９１が第１表側結合部１４１の貫通孔１８１側から凹み空間１５１内に挿入されることになる。このＬ字金具１９１において凹み空間１５１に挿入される挿入壁部１９２には、上記係止部に対応させて係止用開口１９３が形成されており、Ｌ字金具１９１が挿入された場合には係止部により係止用開口１９３が係止され、Ｌ字金具１９１の取り外し方向への移動が阻止される。また、Ｌ字金具１９１において挿入壁部１９２に対して挿入元側の端部から連続し、当該挿入壁部１９２に直交する方向に延在させて形成された挿入元側壁部１９４は、第１表側結合部１４１の貫通孔１８１内に存在することになる。これにより、Ｌ字金具１９１を第１表側結合部１４１及び第１裏側結合部１７１に挿入した場合には、当該Ｌ字金具１９１の取り外しが阻止されるとともに、表側構成体１２２及び裏側構成体１２３の一方を他方に対してスライド移動させようとしても、Ｌ字金具１９１によって阻止される。
【００７６】
一方、上記挿入元側壁部１９４は、その延在方向及び厚み方向の両方に直交する方向の寸法である幅寸法が、突出先壁部１８２において一対のスリット間の寸法と同一又はそれよりも小さく設定されている。また、既に説明したとおり、一対のスリットが形成されていることにより、突出先壁部１８２には一対の易切断部１８３が形成されている。したがって、当該一対の易切断部１８３を切断して突出先壁部１８２の突板部１８４を除去することにより、当該突出先壁部１８２とＬ字金具１９１との干渉が回避されることになり、Ｌ字金具１９１を第１裏側結合部１７１側に残した状態のまま、Ｌ字金具１９１による上記スライド移動の規制が解除された状態となる。
【００７７】
各表側結合部１４１，１４２のうち外側の２個の表側結合部１４２は、図７に示すように、相互に同一のサイズ及び同一の構造となっており、これら第２表側結合部１４２は、膨出部１２５の側面において当該膨出部１２５が膨出する方向の根元部分にのみ存在している。第２表側結合部１４２は、第１表側結合部１４１と比較した場合に、膨出部１２５の膨出方向において当該膨出部１２５の根元側端部の位置は同じ位置となっているのに対して、第１表側結合部１４１よりも高さ寸法が小さく設定されていることにより、第１表側結合部１４１よりも膨出部１２５の根元側に埋没した状態となっている。
【００７８】
第２表側結合部１４２には、膨出部１２５の膨出方向に貫通する貫通孔２０１が形成されている。また、第２表側結合部１４２は、図９（ａ）に示すように、薄板状のボックス側連結部２０２を介して膨出部１２５と連結されている。ボックス側連結部２０２は、各第２表側結合部１４２に対して、短辺部の延在方向に一対形成されている。ボックス側連結部２０２を間に挟むようにして、ニッパなどの工具の先端を差し込み一対のボックス側連結部２０２を切断することにより、第２表側結合部１４２が表側構成体１２２から分離される。
【００７９】
第２表側結合部１４２に１対１で対応するように、図８に示すように、外側２個の裏側結合部１７２は相互に同一のサイズ及び同一の構造である第２裏側結合部１７２となっている。溝側壁部１６１において第２裏側結合部１７２の結合区画部１６４には、表側構成体１２２と裏側構成体１２３とが組み合わせ完了位置に配置された状態において第２表側結合部１４２の貫通孔２０１と一致する連通孔２０３が形成されており、当該連通孔２０３により第２表側結合部１４２の貫通孔２０１が受け金具１４５の凹み空間１５１と連通された状態となる。また、第２裏側結合部１７２の結合区画部１６４には、表側構成体１２２と裏側構成体１２３とが組み合わせ完了位置に配置された状態において第２表側結合部１４２の周面の全体と対向する第２囲み部２０４が一体形成されている。これにより、第２表側結合部１４２と第２裏側結合部１７２との境界においてこれら結合部１４２，１７２の並設方向に対して直交する方向の合わせ面が生じており、当該境界を通じて不正治具を挿入しようとする行為が行いづらくなっている。
【００８０】
受け金具１４５において第２裏側結合部１７２を生じさせる領域には、各区画壁部１５４の一部を凹み空間１５１の外側に向けて突出させることにより、係止部１５５が形成されている。第２表側結合部１４２及び第２裏側結合部１７２の組み合わせを利用して表側構成体１２２及び裏側構成体１２３を結合させる場合には、Ｕ字金具２１１が第２表側結合部１４２の貫通孔２０１側から結合領域形成部１４４の溝部１４７内に挿入されることになる。この場合、当該Ｕ字金具２１１の挿入先側の一対の端部のうち一方は、受け金具１４５における一方の区画壁部１５４と溝部１４７の周面との間に入り込み、他方は受け金具１４５における他方の区画壁部１５４と溝部１４７の周面との間に入り込む。これら挿入先側の端部には、上記係止部１５５に対応させて係止用凹部２１２が形成されており、Ｕ字金具２１１が挿入された場合には係止部１５５により係止用凹部２１２が係止され、Ｕ字金具２１１の取り外し方向への移動が阻止される。また、Ｕ字金具２１１において根元側の端部は、第２表側結合部１４２の貫通孔２０１内に存在することになる。これにより、Ｕ字金具２１１を第２表側結合部１４２及び第２裏側結合部１７２に挿入した場合には、当該Ｕ字金具２１１の取り外しが阻止されるとともに、表側構成体１２２及び裏側構成体１２３の一方を他方に対してスライド移動させようとしても、それがＵ字金具２１１によって阻止される。
【００８１】
一方、既に説明したとおり、各第２表側結合部１４２は、一対のボックス側連結部２０２を介して膨出部１２５と連結されており、当該ボックス側連結部２０２はニッパなどの工具により切断可能となっている。したがって、当該一対のボックス側連結部２０２を切断して第２表側結合部１４２を膨出部１２５から分離することにより、表側構成体１２２及び裏側構成体１２３のうち一方を他方に対してスライド移動させることがＵ字金具２１１によって阻止された状態が解除される。この場合、第２表側結合部１４２が第２裏側結合部１７２の側に残った状態で両構成体１２２，１２３間のスライド移動が行われることになる。
【００８２】
ちなみに、表側構成体１２２と裏側構成体１２３とを最初に結合する場合には、第１表側結合部１４１及び第１裏側結合部１７１の各組み合わせに対してＬ字金具１９１が挿入される。また、易切断部１８３の切断作業を含めた基板ボックス１２１の開放作業を通じて当該基板ボックス１２１の内部空間を開放させた後に、再度、表側構成体１２２と裏側構成体１２３とを結合する場合には、第２表側結合部１４２及び第２裏側結合部１７２の各組み合わせに対してＵ字金具２１１が挿入される。この場合、Ｌ字金具１９１は、第２表側結合部１４２及び第２裏側結合部１７２の組み合わせに挿入することが不可となっており、Ｕ字金具２１１は、第１表側結合部１４１及び第１裏側結合部１７１の組み合わせに挿入することが不可となっている。したがって、金具１９１，２１１の挿入間違いの発生が防止されている。
【００８３】
次に、第１支持ユニット９２について、図１０〜図１２を参照しながら説明する。
【００８４】
図１０（ａ）及び図１０（ｂ）は主制御装置９１から第１支持ユニット９２を分離させた状態を示す分解斜視図であり、図１０（ａ）は表面側から見た図であり、図１０（ｂ）は裏面側から見た図である。図１１（ａ）及び図１１（ｂ）は第１支持ユニット９２の分解斜視図である。図１２（ａ）及び図１２（ｂ）は第１支持ユニット９２の一部を構成する支持用部材２２１の斜視図であり、図１２（ｃ）及び図１２（ｄ）は第１支持ユニット９２の一部を構成する結合用部材２３１の斜視図である。
【００８５】
第１支持ユニット９２は、図１０（ａ）及び図１０（ｂ）に示すように、主制御装置９１において表側結合部１４１，１４２及び裏側結合部１７１，１７２が設けられた側の端部に結合されるものである。当該第１支持ユニット９２は、図１１（ａ）及び図１１（ｂ）に示すように、既に説明した回動軸部２２４が一体形成された支持用部材２２１と、主制御装置９１への結合箇所を生じさせる結合用部材２３１と、を備えている。
【００８６】
支持用部材２２１は、図１２（ａ）及び図１２（ｂ）に示すように、主制御装置９１の短辺部に沿う方向の寸法が最も長くなるように縦長に形成されており、結合用部材２３１を受ける支持用ベース部２２２を備えている。当該支持用ベース部２２２は、基板ボックス１２１の厚み方向に高低差が生じるように段差状に形成されており、段差部２２３の外側の面から側方に突出するようにして上記回動軸部２２４が一体形成されている。
【００８７】
一方、段差部２２３の内側の面及び支持用ベース部２２２の低位部２２５を利用して、結合用部材２３１を受け入れる受入空間が形成されている。当該受入空間は、結合用部材２３１に向けて開放されているとともに段差部２２３とは逆側の側方に向けて開放されている。低位部２２５において主制御装置９１の短辺部に沿う方向の寸法は、結合用部材２３１における同方向の寸法よりも大きく設定されており、図１０（ａ）及び図１０（ｂ）に示すように、受入空間内に結合用部材２３１を受入可能となっている。
【００８８】
低位部２２５には、図１２（ａ）及び図１２（ｂ）に示すように、結合用部材２３１側に突出させてボス２２６が一体形成されている。当該ボス２２６は、上記短辺部に沿う方向に所定の間隔を置いて一対形成されている。これら一対のボス２２６は、低位部２２５及びこれらボス２２６に一体形成されたリブ２２７によって連結されている。
【００８９】
一対のボス２２６は、支持用部材２２１に結合用部材２３１を結合する場合に利用される。具体的には、結合用部材２３１は、図１２（ｃ）及び図１２（ｄ）に示すように、四角箱状に形成された台座部２３２を備えており、当該台座部２３２はその内部空間が支持用部材２２１側に向けて開放されている。台座部２３２において支持用部材２２１側に向けて開放された内部空間は、複数の仕切部２３３により仕切られており、当該仕切部２３３により仕切られた一部の空間として、上記一対のボス２２６を挿入可能な空間が形成されている。したがって、結合用部材２３１を支持用部材２２１の受入空間に装着した場合には、結合用部材２３１の内部空間内に一対のボス２２６が挿入された状態となり、さらに当該内部空間を仕切る仕切部２３３が一対のボス２２６と当接すること、及び支持用部材２２１において受入空間を区画する壁部が台座部２３２の周面と当接することを通じて、支持用部材２２１に対する結合用部材２３１の配置位置の位置決めがなされる。
【００９０】
台座部２３２の表面壁部２３４には、各ボス２２６に１対１で対応させて貫通孔２３５が形成されており、図１１（ａ）及び図１１（ｂ）に示すように、当該貫通孔２３５を通じて破断ネジ２３６がボス２２６のネジ孔に螺着されている。そして、当該破断ネジ２３６の頭部は螺着後に除去されている。これにより、支持用部材２２１と結合用部材２３１とが分離不能に結合されている。また、上記基板ボックス１２１の表側結合部１４１，１４２及び裏側結合部１７１，１７２を利用した結合と異なり、支持用部材２２１及び結合用部材２３１には、両者の結合解除を行い易くするための部位は存在していない。
【００９１】
なお、図１２（ｃ）及び図１２（ｄ）に示すように、台座部２３２において長手方向の両端部には、仮止め用フック２３７が一体形成されており、これに対応させて支持用部材２２１には、図１２（ａ）及び図１２（ｂ）に示すように、フック受け２２８が形成されている。したがって、支持用部材２２１に対して結合用部材２３１を仮止めすることが可能となっており、これら支持用部材２２１と結合用部材２３１との結合作業の容易化が図られている。
【００９２】
結合用部材２３１には、図１２（ｃ）及び図１２（ｄ）に示すように、基板ボックス１２１に第１支持ユニット９２を結合するためのユニット側結合部２４１が一体形成されている。当該ユニット側結合部２４１は、台座部２３２において支持用部材２２１の段差部２２３と対向する側とは逆側の側壁部から側方に突出するようにして形成されている。ユニット側結合部２４１は、結合用部材２３１の長手方向に沿って所定の間隔を置いて複数（具体的には４個）形成されている。これらユニット側結合部２４１は、薄板状の支持側連結部２４２を通じて台座部２３２と一体化されている。各支持側連結部２４２の周囲には、結合用部材２３１の長手方向においてニッパ等の工具の先端により挟み込み可能な空間が確保されており、各支持側連結部２４２を切断することが可能となっている。
【００９３】
ちなみに、各ユニット側結合部２４１及び各支持側連結部２４２は、台座部２３２の表面壁部２３４側に偏倚させた位置から側方に突出させて形成されており、基板ボックス１２１の厚み方向において、これらユニット側結合部２４１及び支持側連結部２４２の表面側端面は台座部２３２の表面壁部２３４と同じ位置となっている。
【００９４】
ユニット側結合部２４１に１対１で対応させて、図１０（ａ）に示すように、受けカバー１４６の溝側壁部１６１には支持用結合ボス２４３が一体形成されている。これら支持用結合ボス２４３はユニット側結合部２４１と同数の４個形成されており、そのうち内側の２個は一対の第１裏側結合部１７１間に存在しており、外側の各１個はそれぞれ第１裏側結合部１７１と第２裏側結合部１７２との間に存在している。
【００９５】
第１支持ユニット９２の支持用部材２２１には、図１０（ｂ）に示すように、その長手方向の両端に位置決め用突起２４４が一体形成されており、これに対応させて基板ボックス１２１の受けカバー１４６には位置決め受け部２４５が一体形成されている。これら位置決め用突起２４４が対応する位置決め受け部２４５により受けられるように、主制御装置９１に対する第１支持ユニット９２の位置決めを行った場合には、当該第１支持ユニット９２における結合用部材２３１の側壁部が主制御装置９１における受けカバー１４６の側壁部に側方から当接し、さらに第１支持ユニット９２の各ユニット側結合部２４１が主制御装置９１の対応する各支持用結合ボス２４３に重なり合うことになる（図５（ａ）など参照）。
【００９６】
ユニット側結合部２４１には、図１０（ａ）に示すように、対応する支持用結合ボス２４３のネジ孔に連通するように貫通孔２４６が形成されており、当該貫通孔２４６を通じて破断ネジ２４７が支持用結合ボス２４３のネジ孔に螺着されている。そして、当該破断ネジ２４７の頭部は螺着後に除去されている。これにより、第１支持ユニット９２が主制御装置９１に対して分離しづらくなるように結合されている。一方、既に説明したとおり、各ユニット側結合部２４１は、支持側連結部２４２を介して台座部２３２と連結されており、当該支持側連結部２４２はニッパなどの工具により切断可能となっている。したがって、支持側連結部２４２を切断してユニット側結合部２４１を台座部２３２から分離することにより、主制御装置９１から第１支持ユニット９２を分離させることが破断ネジ２４７によって阻止された状態が解除される。この場合、ユニット側結合部２４１が支持用結合ボス２４３の側に残った状態で第１支持ユニット９２が主制御装置９１から分離されることになる。
【００９７】
ちなみに、ユニット側結合部２４１と支持用結合ボス２４３との結合を、これらの組み合わせの全てに対して一度に行うか、複数回に分けて行うかは任意であるが、最初は一部の組み合わせについて結合を行い、残りについては第１支持ユニット９２を主制御装置９１から分離させた後の再度の結合に際して使用することで、第１支持ユニット９２を取り外した上でのメンテナンスを少なくとも１回は行うことが可能となる。
【００９８】
次に、第１表側結合部１４１及び第１裏側結合部１７１の組み合わせ（以下、第１ボックス側結合部２５１とも言う）と、第２表側結合部１４２及び第２裏側結合部１７２の組み合わせ（以下、第２ボックス側結合部２５２とも言う）と、ユニット側結合部２４１及び支持用結合ボス２４３の組み合わせ（以下、支持側結合部２５３とも言う）と、第１支持ユニット９２の台座部２３２との位置関係について、図１３を参照しながら説明する。図１３は主制御装置ユニット６１において第１支持ユニット９２が装着された側の一部を拡大して示す正面図である。
【００９９】
図１３に示すように、第１ボックス側結合部２５１及び第２ボックス側結合部２５２は、基板ボックス１２１の膨出部１２５から第１支持ユニット９２側に向けて突出しているのに対して、支持側結合部２５３は、第１支持ユニット９２の台座部２３２から膨出部１２５側に向けて突出している。そして、支持側結合部２５３は、第１ボックス側結合部２５１と第２ボックス側結合部２５２との間に入り込んでいるとともに、一対の第１ボックス側結合部２５１間に入り込んでいる。つまり、支持側結合部２５３は、第１ボックス側結合部２５１及び第２ボックス側結合部２５２の並設方向に沿って、これらボックス側結合部２５１，２５２と並設されており、突出方向の少なくとも一部の領域、より詳細には突出方向の全体の領域が、ボックス側結合部２５１，２５２と上記並設方向に重なっている。
【０１００】
換言すれば、第１ボックス側結合部２５１、第２ボックス側結合部２５２及び支持側結合部２５３は、主制御装置９１の所定の短辺部において当該短辺部が延在する方向に沿って一列に並ぶように設けられている。このようにボックス側結合部２５１，２５２と支持側結合部２５３とが並設されていることにより、第１支持ユニット９２から主制御装置９１が不正に取り外されていないか否かの確認作業、及び基板ボックス１２１が不正に開放されていないか否かの確認作業を行う場合に目視確認すべき箇所が集約され、当該作業の容易化が図られる。
【０１０１】
第１ボックス側結合部２５１、第２ボックス側結合部２５２及び支持側結合部２５３はいずれも、結合具（Ｌ字金具１９１、Ｕ字金具２１１及び破断ネジ２４７）が挿入される開口部が同一の方向に向けて開放されている。これにより、第１ボックス側結合部２５１、第２ボックス側結合部２５２及び支持側結合部２５３が結合状態となっているか否かの確認作業を行い易くなる。
【０１０２】
第１ボックス側結合部２５１は、図５（ａ）に示すように、Ｌ字金具１９１の挿入口の開口面が生じている表面部が、支持側結合部２５３において破断ネジ２４７の挿入口の開口面が生じている表面部と同一又は略同一の高さ位置（基板ボックス１２１の厚み方向を高さ方向とした場合）となるように、当該第１ボックス側結合部２５１の高さ寸法が意図的に大きく設定されている。これにより、第１ボックス側結合部２５１が支持側結合部２５３間に埋没してしまうことが抑制され、支持側結合部２５３間に第１ボックス側結合部２５１が存在している構成において、当該第１ボックス側結合部２５１の目視確認の容易化が図られている。
【０１０３】
支持側結合部２５３がボックス側結合部２５１，２５２間に入り込んでいることにより、図１３に示すように、これら支持側結合部２５３は基板ボックス１２１の裏側構成体１２３に設けられた受けカバー１４６の溝側壁部１６１上に存在していることになる。これにより、溝側壁部１６１上においてボックス側結合部２５１，２５２間に支持側結合部２５３による立体的な障害が生まれ、例えば溝側壁部１６１等を破壊して受け金具１４５にアクセスし、易切断部１８３といった切断を促す箇所の切断を行うことなく基板ボックス１２１を不正に開放させる行為が行いづらくなる。同様に、支持側結合部２５３の周囲にはボックス側結合部２５１，２５２による立体的な障害が生まれ、例えば支持用結合ボス２４３等を破壊して破断ネジ２４７のネジ溝部分にアクセスし、支持側連結部２４２といった切断を促す箇所の切断を行うことなく第１支持ユニット９２から主制御装置９１を不正に取り外す行為が行いづらくなる。
【０１０４】
支持側結合部２５３がボックス側結合部２５１，２５２間に入り込んでいる構成において、各ボックス側結合部２５１，２５２の突出先側の端面は、第１支持ユニット９２の台座部２３２の側面と対向している。この場合に、図５（ａ）に示すように、第１ボックス側結合部２５１は、突出先壁部１８２の全体が台座部２３２の側面と対向しており、当該突出先壁部１８２に形成された易切断部１８３及び突板部１８４はその全体が、突出方向の先側から台座部２３２が対向している。
【０１０５】
これら突出先壁部１８２と台座部２３２との位置関係について、図１３に加えて図１４を参照しながら説明する。図１４は図１３のＡ―Ａ線の切断部端面図である。
【０１０６】
図１４に示すように、第１ボックス側結合部２５１に第１表側結合部１４１側からＬ字金具１９１が挿入されており、当該Ｌ字金具１９１が受け金具１４５において第１裏側結合部１７１を生じさせる領域に係止されている。この場合、当該Ｌ字金具１９１は、その挿入元側の端部が第１表側結合部１４１における突出先壁部１８２の突板部１８４と対向しており、表側構成体１２２及び裏側構成体１２３の一方を他方に対してスライド移動させようとしてもそれが阻止される状態となっている。
【０１０７】
上記構成において、突出先壁部１８２と台座部２３２との間の距離Ｘは、易切断部１８３を切断するためのニッパなどの工具の先端を当該易切断部１８３を切断するために挿入しようとしてもそれが不可となるように近い位置に設定されている。具体的には、距離Ｘは、０．１ｍｍ〜３．０ｍｍに設定されている。したがって、第１支持ユニット９２が主制御装置９１に装着されている状態では易切断部１８３を切断することができず、それに伴って第１ボックス側結合部２５１による結合を解除して基板ボックス１２１を開放させることが不可となっている。
【０１０８】
その一方、図１３に示すように、第１ボックス側結合部２５１は、支持側結合部２５３による主制御装置９１と第１支持ユニット９２との結合を解除するための支持側連結部２４２の切断作業を阻害しないように、当該支持側連結部２４２の周囲にニッパなどの工具の先端を差し込み可能な空間を生じさせるように形成されている。したがって、第１支持ユニット９２が主制御装置９１に装着された状態において支持側連結部２４２を切断することが可能となっている。
【０１０９】
ここで、図１５（ａ）〜図１５（ｄ）を参照しながら第１ボックス側結合部２５１による基板ボックス１２１の表側構成体１２２と裏側構成体１２３との結合を解除する場合の作業の流れを説明する。
【０１１０】
図１５（ａ）に示す初期状態では、突出先壁部１８２の突板部１８４とＬ字金具１９１との当接により、表側構成体１２２及び裏側構成体１２３のうち一方を他方に対してスライド移動させることが阻止されている。また、突出先壁部１８２は、その全体が第１支持ユニット９２の台座部２３２と対向しており、突出先壁部１８２の易切断部１８３を切断しようとしてもそれが不可となっている。
【０１１１】
第１支持ユニット９２の支持側連結部２４２を切断することで第１支持ユニット９２と主制御装置９１との結合を解除して、第１支持ユニット９２から主制御装置９１を取り外すことにより、図１５（ｂ）に示すように、突出先壁部１８２が台座部２３２と対向している状態が解除され、当該突出先壁部１８２の易切断部１８３を切断することが可能となる。そして、この状態で、一対の易切断部１８３をそれぞれ切断することにより、図１５（ｃ）に示すように、突出先壁部１８２の突板部１８４を切除することが可能となる。
【０１１２】
当該突板部１８４を切除することにより、既に説明したように、突出先壁部１８２とＬ字金具１９１との干渉が回避される。これにより、図１５（ｄ）に示すように、Ｌ字金具１９１を裏側構成体１２３側に残した状態のまま、表側構成体１２２及び裏側構成体１２３のうち一方を他方に対してスライド移動させて基板ボックス１２１を開放させることが可能となる。
【０１１３】
次に、第１支持ユニット９２が主制御装置９１に結合された状態の両者の関係について説明する。
【０１１４】
図１０（ｂ）に示すように、第１支持ユニット９２には、主制御装置９１の背面に対して当該背面が向く側から対向する部位が存在していない。一方、主制御装置９１の裏側構成体１２３には、図９（ｂ）及び図１０（ｂ）に示すように、第１支持ユニット９２の背面に対して当該背面が向く側から対向し、且つ第１支持ユニット９２の背面と当接する当接部２６１が一体形成されている。当接部２６１は、主制御装置９１の短辺部に沿って複数並設されている。これら当接部２６１が形成されていることにより、図５（ａ）及び図５（ｂ）に示すように、第２支持ユニット９３側を把持して主制御装置ユニット６１を通常位置から回動位置に回動させる場合には、第２支持ユニット９３から主制御装置９１に伝わった操作力が、主制御装置９１の当接部２６１を通じて第１支持ユニット９２に伝わり易くなる。
【０１１５】
また、上記のように主制御装置９１に第１支持ユニット９２に対して背面側から当接する部位が形成されている構成においては、第１支持ユニット９２から主制御装置９１を分離させる場合には、少なくとも図５（ａ）の通常位置から図５（ｂ）のような回動位置に主制御装置ユニット６１を回動させる必要がある。そして、当該回動操作の前に支持側連結部２４２を切断しておくことで、又は当該回動操作の後に支持側連結部２４２を切断することで、第１支持ユニット９２から主制御装置９１を取り外すことが可能となる。
【０１１６】
なお、既に説明したとおり、第１支持ユニット９２の回動軸部２２４を軸受けユニット９４の軸受け部材９６から引き抜こうとしてもそれが阻止されており、さらに軸受けユニット９４と第１支持ユニット９２との結合を解除するための積極的な構成は存在していないため、軸受けユニット９４から主制御装置ユニット６１を分離させることは困難であり、主制御装置９１の取り外しに際しては上記支持側連結部２４２の切断が行われることになる。
【０１１７】
上記当接部２６１の一部として、図１０（ｂ）に示すように、確認用突起２６２が形成されており、当該確認用突起２６２に対応させて第１支持ユニット９２の支持用部材２２１に確認用受け部２６３が一体形成されている。これら確認用突起２６２及び確認用受け部２６３は、第１支持ユニット９２と制御装置との関係が一致している場合に、両者の干渉が生じることなく主制御装置９１に第１支持ユニット９２を装着させることが可能となるように形成されている。
【０１１８】
例えば、機種毎や、同一機種であっても仕様毎に、確認用突起２６２と確認用受け部２６３との数や間隔を異ならせることにより、正常な組み合わせではない場合には、確認用突起２６２と確認用受け部２６３との干渉が発生し、第１支持ユニット９２を主制御装置９１に装着することが不可となる構成が考えられる。また、これ以外にも、第１支持ユニット９２に関する構成を払出制御装置８２や音声ランプ制御装置６６にも適用する場合には、正常な組み合わせではない場合には、確認用突起２６２と確認用受け部２６３との干渉が発生し、第１支持ユニット９２を制御装置に装着することが不可となる構成が考えられる。
【０１１９】
次に、パチンコ機１０の電気的構成について、図１６のブロック図に基づいて説明する。図１６では、電力の供給ラインを二重線矢印で示し、信号ラインを実線矢印で示す。
【０１２０】
主制御装置９１に設けられた主制御基板１１１には、主制御回路２９１と停電監視回路２９２とが内蔵されている。主制御回路２９１には、ＣＰＵチップ１１２が搭載されている。ＣＰＵチップ１１２には、当該ＣＰＵチップ１１２により実行される各種の制御プログラムや固定値データを記憶したＲＯＭ２９３と、そのＲＯＭ２９３内に記憶される制御プログラムの実行に際して各種のデータ等を一時的に記憶するためのメモリであるＲＡＭ２９４と、割込回路やタイマ回路、データ入出力回路などの各種回路が内蔵されている。
【０１２１】
ＣＰＵチップ１１２には、入力ポート及び出力ポートがそれぞれ設けられている。ＣＰＵチップ１１２の入力側には、主制御基板１１１に設けられた停電監視回路２９２、払出制御装置８２に設けられた払出制御基板３０１及びその他図示しないスイッチ群などが接続されている。この場合に、停電監視回路２９２には電源及び発射制御装置８３に設けられた電源及び発射制御基板３１１が接続されており、ＣＰＵチップ１１２には停電監視回路２９２を介して電力が供給される。
【０１２２】
一方、ＣＰＵチップ１１２の出力側には、停電監視回路２９２、払出制御基板３０１及び中継端子板２９５が接続されている。払出制御基板３０１には、賞球コマンドなどといった各種コマンドが出力される。中継端子板２９５を介して主制御回路２９１から音声ランプ制御装置６６に各種コマンドなどが出力される。
【０１２３】
停電監視回路２９２は、主制御回路２９１と電源及び発射制御基板３１１とを中継し、また電源及び発射制御基板３１１から出力される最大電圧である直流安定２４ボルトの電圧を監視する。
【０１２４】
払出制御基板３０１は、払出装置７８により賞球や貸し球の払出制御を行うものである。演算装置であるＣＰＵ３０２は、そのＣＰＵ３０２により実行される制御プログラムや固定値データ等を記憶したＲＯＭ３０３と、ワークメモリ等として使用されるＲＡＭ３０４とを備えている。
【０１２５】
払出制御基板３０１のＣＰＵ３０２には、入出力ポートが設けられている。ＣＰＵ３０２の入力側には、主制御回路２９１、電源及び発射制御基板３１１、及び裏パック基板が接続されている。また、ＣＰＵ３０２の出力側には、主制御回路２９１及び裏パック基板が接続されている。
【０１２６】
電源及び発射制御基板３１１は、電源部３１２と発射制御部３１３とを備えている。電源部３１２は、例えば、遊技場等における商用電源（外部電源）に接続されている。そして、その商用電源から供給される外部電力に基づいて主制御回路２９１や払出制御基板３０１等に対して各々に必要な動作電力を生成するとともに、その生成した動作電力を二重線矢印で示す経路を通じて主制御回路２９１や払出制御基板３０１等に対して供給する。発射制御部３１３は、遊技球発射機構５０の発射制御を担うものであり、遊技球発射機構５０は所定の発射条件が整っている場合に駆動される。
【０１２７】
音声ランプ制御装置６６は、表示制御装置３２１を制御するものであり、主制御回路２９１から出力される各種コマンドに基づいて、表示制御装置３２１を制御する。表示制御装置３２１は、音声ランプ制御装置６６から入力する表示コマンドに基づいて図柄表示装置４１を制御する。
【０１２８】
以上詳述した本実施形態によれば、以下の優れた効果を奏する。
【０１２９】
基板ボックス１２１の表側構成体１２２と裏側構成体１２３とを結合するとともにこれらが結合された状態を解除するためには部材の破壊が必要となる第１ボックス側結合部２５１が設けられていることにより、基板ボックス１２１の開放に際しては部材の破壊を要することとなり、基板ボックス１２１の不正開放の有無を目視により確認することが可能となる。また、主制御装置９１と第１支持ユニット９２とを結合するとともにこれらが結合された状態を解除するためには部材の破壊が必要となる支持側結合部２５３が設けられていることにより、第１支持ユニット９２からの主制御装置９１の取り外しに際しては部材の破壊を要することとなり、主制御装置９１の不正取り外しの有無を目視により確認することが可能となる。
【０１３０】
この場合に、支持側結合部２５３を利用した結合状態を解除していない状況においては、第１ボックス側結合部２５１を利用した結合状態を解除するために必要な結合解除操作が制限される。これにより、基板ボックス１２１の開放に際しては、支持側結合部２５３を利用した結合状態の解除を先に行う必要が生じ、基板ボックス１２１が開放された場合には第１ボックス側結合部２５１及び支持側結合部２５３のそれぞれに関して破壊箇所が生じることになる。よって、基板ボックス１２１の不正開放が行われたか否かの目視確認作業を行い易くなり、さらに不正行為者にとってはその作業が煩雑なものとなる。
【０１３１】
また、第１支持ユニット９２及び支持側結合部２５３を利用する構成であるため、部品点数の増大化や構成の極端な複雑化を抑制しながら、上記のような優れた作用効果を奏することが可能となる。
【０１３２】
また、第１支持ユニット９２に対して主制御装置９１を分離方向に変位させていない状況においては、第１ボックス側結合部２５１を利用した結合状態の解除が制限される構成である。したがって、基板ボックス１２１を開放させるためには、支持側結合部２５３を利用した結合状態の解除を行うだけでなく、第１支持ユニット９２に対して主制御装置９１を分離方向に変位させる必要があるため、当該基板ボックス１２１の不正開放作業がより煩雑なものとなる。さらに当該取り外し作業が必要な構成とすることで、当該不正開放作業が目立ち易くなり、当該作業の発見の容易化が図られる。
【０１３３】
さらにまた、第１支持ユニット９２に対して背面側から当接する部位が主制御装置９１に形成されていることにより、第１支持ユニット９２から主制御装置９１を分離させるためには両者の一体物を通常位置から回動させる必要がある。したがって、基板ボックス１２１を開放させるためには、支持側結合部２５３を利用した結合状態の解除操作、及び第１支持ユニット９２に対する主制御装置９１の分離操作を行うだけでなく、主制御装置ユニット６１の回動操作を行う必要がある。よって、当該基板ボックス１２１の不正開放作業がより煩雑なものとなる。さらに当該回動操作が必要な構成とすることで、当該不正開放作業が目立ち易くなり、当該作業の発見の容易化が図られる。
【０１３４】
第１ボックス側結合部２５１には易切断部１８３が設けられており、当該易切断部１８３を切断することにより、第１ボックス側結合部２５１を利用した結合状態が解除される構成である。これにより、基板ボックス１２１の開放作業を正規に行う場合の作業性の向上が図られる。この場合に、第１支持ユニット９２は、当該第１支持ユニット９２に主制御装置９１が取り付けられている状況において易切断部１８３に向けた工具の進入経路に対して障害となる位置に、より詳細には、易切断部１８３の切断に際して特定方向から切断用の工具を近付ける必要がある構成において当該特定方向から易切断部１８３と対向する位置に、台座部２３２を有している。これにより、第１支持ユニット９２に主制御装置９１が取り付けられている状況においては台座部２３２の存在によって、易切断部１８３の切断操作が不可となる。したがって、易切断部１８３が存在しているとしても、基板ボックス１２１の不正開放作業に際しては、支持側結合部２５３を利用した結合状態を解除して、第１支持ユニット９２から主制御装置９１を取り外す必要が生じ、その作業を煩雑なものとさせることが可能となる。
【０１３５】
支持側結合部２５３は支持側連結部２４２を介して台座部２３２と一体化されており、当該台座部２３２が易切断部１８３と対向していることにより当該易切断部１８３を切断することが不可となる。これにより、支持側結合部２５３を支持するための部位が、易切断部１８３の切断を不可とする部位として兼用されることになり、構成の簡素化を図りながら、既に説明したような優れた作用効果を奏することが可能となる。
【０１３６】
支持側結合部２５３は、台座部２３２において主制御装置９１の短辺部に沿う方向の両端側にそれぞれ設けられている。これにより、易切断部１８３から離間される側に台座部２３２を変位させようと台座部２３２に加えられる外力に対する台座部２３２の変位規制が強固に行われることになる。よって、上記のように台座部２３２を不正に変位させようとする行為を阻止することが可能となり、さらにはそれを支持側結合部２５３を利用して行うことが可能となる。
【０１３７】
第１ボックス側結合部２５１は、Ｌ字金具１９１を利用して結合状態とされている場合、表側構成体１２２及び裏側構成体１２３のうち一方を他方に対してスライド移動させて基板ボックス１２１の内部空間を開放させようとしても、第１表側結合部１４１の突板部１８４がＬ字金具１９１と当接することで当該スライド移動が阻止される構成である。また、第１支持ユニット９２の台座部２３２は、突板部１８４が形成された第１表側結合部１４１の突出先壁部１８２に対して側方から対向しており、当該突出先壁部１８２に易切断部１８３が形成されている。そして、当該易切断部１８３を切断することで、突出先壁部１８２から突板部１８４を除去することが可能となり、当該突板部１８４がＬ字金具１９１と干渉しなくなることにより、第１ボックス側結合部２５１を利用した結合状態を解除することが可能となる。かかる構成であることにより、易切断部１８３の切断操作を阻止するための部位を、台座部２３２から当該易切断部１８３側に大きく入り込むようにして形成する必要がなくなる。よって、第１支持ユニット９２の形状が複雑化してしまうことを抑制しながら、既に説明したような優れた作用効果を奏することが可能となる。
【０１３８】
表側構成体１２２と裏側構成体１２３とを結合する結合手段として、第１ボックス側結合部２５１とは別に第２ボックス側結合部２５２が設けられている。これにより、表側構成体１２２と裏側構成体１２３との結合作業を複数回行うことが可能となる。また、第２ボックス側結合部２５２は、基板ボックス１２１において第１ボックス側結合部２５１が設けられた短辺部に設けられている。これにより、第１ボックス側結合部２５１と第２ボックス側結合部２５２とが集約配置されることとなり、これらボックス側結合部２５１，２５２を目視確認する場合の作業の容易化が図られる。この場合に、第２ボックス側結合部２５２を利用した結合状態の解除は、支持側結合部２５３を利用した結合状態が解除されていなかったとしても制限されない。これにより、第１支持ユニット９２側による結合解除作業の制限を必要とする遊技ホールにおいては第１ボックス側結合部２５１を利用して両構成体１２２，１２３を結合状態とし、第１支持ユニット９２側による結合解除作業の制限を必要としない遊技ホールにおいては第２ボックス側結合部２５２を利用して両構成体１２２，１２３を結合状態とするといったように、遊技ホールにおいて選択的な取り扱いを行うことが可能となる。よって、使用目的の多様性に対応することが可能となる。
【０１３９】
支持側結合部２５３は、基板ボックス１２１において第１ボックス側結合部２５１が設けられた短辺部側に集約されている。これにより、これら支持側結合部２５３及び第１ボックス側結合部２５１を目視確認する場合の作業の容易化が図られる。
【０１４０】
また、第１ボックス側結合部２５１を利用した結合状態を解除することを可能とする易切断部１８３と、支持側結合部２５３を利用した結合状態を解除することを可能とする支持側連結部２４２とは、基板ボックス１２１の表面側の板面が向く側から当該基板ボックス１２１を目視した場合に両方とも目視確認することが可能なように集約されている。これにより、易切断部１８３及び支持側連結部２４２を目視確認する場合において主制御装置ユニット６１の面の向きの変更を要しない。よって当該確認作業の容易化が図られる。
【０１４１】
また、第１ボックス側結合部２５１においてＬ字金具１９１を挿入するための挿入口と、支持側結合部２５３において破断ネジ２４７を挿入するための挿入口とが同一方向を向くように、これら第１ボックス側結合部２５１及び支持側結合部２５３が形成されている。これにより、これら第１ボックス側結合部２５１及び支持側結合部２５３に対して結合用の処理が施されているか否かの目視確認の容易化が図られる。
【０１４２】
第１ボックス側結合部２５１は複数の支持側結合部２５３間に存在しており、支持側結合部２５３は複数の第１ボックス側結合部２５１間に存在している。所定の結合対象に関して少ない数の結合手段により結合強度が高められた範囲を広範囲としようとすると、同一種類の結合手段をある程度離間させて複数配置する必要が生じる。この場合に、その離間された空間に他の種類の結合手段を配置することで、当該空間を利用しながら、第１ボックス側結合部２５１及び支持側結合部２５３を集約配置することが可能となり、結果的にコンパクト化を図りながら、既に説明したような優れた作用効果を奏することが可能となる。
【０１４３】
第１ボックス側結合部２５１を結合状態とすることを可能とするＬ字金具１９１の取り外し方向への変位を規制する部位、及び支持側結合部２５３を結合状態とすることを可能とする破断ネジ２４７の取り外し方向への変位を規制する部位が、基板ボックス１２１の裏側結合領域１４３に集約されており、支持側結合部２５３は当該裏側結合領域１４３側に入り込むようにして形成されている。これにより、第１ボックス側結合部２５１においてＬ字金具１９１の取り外し方向への変位を規制する部位及び支持側結合部２５３において破断ネジ２４７の取り外し方向への変位を規制する部位に直接アクセスして、これら結合具を利用した結合状態を解除しようとしても、裏側結合領域１４３においては一方の結合部に対して他方の結合部が立体的な障害として存在するため、このような直接的なアクセスが行いづらくなる。
【０１４４】
第１支持ユニット９２は、当該第１支持ユニット９２を軸受けユニット９４側にて受けさせるための構造を生じさせる支持用部材２２１と、支持側結合部２５３が一体化された結合用部材２３１とを個別に備えており、これら支持用部材２２１及び結合用部材２３１が破断ネジ２３６により一体化された構成となっている。第１支持ユニット９２を軸受けユニット９４にて受けさせるための構造と、支持側結合部２５３とはそれぞれ使用目的が異なるため、それぞれ異なるタイミングで設計変更が行われ得る。この場合に、支持用部材２２１と結合用部材２３１とが別々に設けられ、それらが破断ネジ２３６により一体化されている構成であるため、上記設計変更に際して一部の部材のみについて設計変更を行えばよいため、当該設計変更に対処し易くなる。
【０１４５】
＜第２の実施形態＞
上記第１の実施形態では、第１支持ユニット９２に回動軸部２２４が設けられた構成としたが、本実施形態では第１支持ユニット９２に回動軸部２２４が設けられているのではなく、その代わりに、図１７（ａ）及び図１７（ｂ）の第１支持ユニット３３１の分解斜視図に示すように、第１支持ユニット３３１の結合用部材２３１における台座部２３２には蝶番部品３３６を係止させる係止金具３３２が埋設されているとともに、第１支持ユニット３３１の支持用部材３３３には結合用部材２３１の台座部２３２内への蝶番部品３３６の差し込みを可能とする差込用孔部３３４が形成されている。ちなみに、蝶番部品３３６は軸受けユニット９４において軸受け部材９６の代わりに設けられている。
【０１４６】
上記のように蝶番部品３３６を係止可能な係止金具３３２が設けられていることにより、第１支持ユニット３３１を利用して主制御装置９１を回動可能に支持することが可能となる。また、第１支持ユニット３３１内に差し込まれた蝶番部品３３６は、当該第１支持ユニット３３１に内蔵された係止金具３３２に係止されて、抜け方向への移動が規制されるとともに、上記第１の実施形態と同様に、第１支持ユニット３３１を構成する支持用部材３３３と結合用部材２３１とは破断ネジ２３６によって結合されている。そうすると、蝶番部品３３６から第１支持ユニット３３１を取り外すべく係止金具３３２を露出させるためには、支持用部材３３３及び結合用部材２３１のうち少なくとも一方を破壊する必要が生じる。これにより、主制御装置ユニット６１を不正に取り外そうとする行為を躊躇させることが可能となり、仮に、当該行為が行われた場合にはその痕跡が残り、当該行為が行われた事実を容易に発見することが可能となる。
【０１４７】
なお、上記第１の実施形態における第１支持ユニット９２と本実施形態における第１支持ユニット３３１とで、支持用部材２２１，３３３は相違しているものの、結合用部材２３１は共通している。これにより、結合用部材２３１の共通化を図りながら、様々な回動支持構造に対応することが可能となる。
【０１４８】
＜他の実施形態＞
なお、上述した各実施形態の記載内容に限定されず、本発明の趣旨を逸脱しない範囲内で種々の変形改良が可能である。例えば以下のように変更してもよい。ちなみに、以下の別形態の構成を、上記各実施形態の構成に対して、個別に適用してもよく、組み合わせて適用してもよい。
【０１４９】
（１）図１８に示す変形例及び図１９に示す変形例では、ボックス側結合部を利用した結合状態の解除に際して第１支持ユニット９２の取り外しを必要とさせるための構成が、上記各実施形態と異なっている。
【０１５０】
（１−１）具体的には、図１８に示す変形例では、図１８（ａ）に示すように、ボックス側結合部３４１はボックス側連結部３４２を介して表側構成体１２２と連結されており、ボックス側連結部３４２を切断することで、基板ボックス１２１を開放させることが可能となる構成であるが、第１支持ユニット９２には、ボックス側連結部３４２を基板ボックス１２１の正面側から覆う被覆部３４３が一体形成されている。この場合、第１支持ユニット９２が主制御装置９１に装着されている状態では、被覆部３４３により少なくともボックス側連結部３４２が被覆され、当該ボックス側連結部３４２を切断すべくニッパなどの工具の先端を差し込もうとしても、それが阻止されることになる。よって、基板ボックス１２１を開放させる場合には、図１８（ｂ）に示すように第１支持ユニット９２を主制御装置９１から分離させる必要が生じる。
【０１５１】
（１−２）図１９に示す変形例では、図１９（ａ）に示すように、図１８の場合と異なり、第１支持ユニット９２には、ボックス側連結部３４２を間に挟むようにして基板ボックス１２１側に延在する挟み込み部３４４が一体形成されている。この場合、第１支持ユニット９２が主制御装置９１に装着されている状態では、挟み込み部３４４によりボックス側連結部３４２が挟み込まれ、当該ボックス側連結部３４２を切断すべくニッパなどの工具の先端を差し込もうとしても、それが阻止されることになる。よって、基板ボックス１２１を開放させる場合には、図１９（ｂ）に示すように第１支持ユニット９２を主制御装置９１から分離させる必要が生じる。なお、図１９に示す変形例においては、一のボックス側連結部３４２を間に挟むように一対の挟み込み部３４４が存在していることは必須ではなく、一対の挟み込み部３４４の一方のみが存在している場合であってもボックス側連結部３４２の切断を阻止することが可能となる。
【０１５２】
（２）支持側結合部２５３を利用した主制御装置９１と第１支持ユニット９２との結合状態を解除した場合には、第１支持ユニット９２から主制御装置９１を取り外していない状況であっても第１ボックス側結合部２５１を利用した結合状態を解除することが可能な構成としてもよい。例えば、図１８に示す変形例や図１９に示す変形例のように、第１支持ユニット９２が、ボックス側連結部３４２を覆う部位又は挟み込む部位を有する構成において、支持側連結部２４２を切断することで、支持側結合部２５３を利用した結合状態を解除した場合には、それに伴って、その覆う部位又は挟み込む部位が除去される構成が考えられる。この場合であっても、主制御装置９１の基板ボックス１２１を開放させるためには、第１ボックス側結合部２５１を利用した結合状態だけでなく、支持側結合部２５３を利用した結合状態を解除する必要があるため、基板ボックス１２１を不正に開放させる場合の作業を煩雑なものとすることが可能となる。
【０１５３】
（３）第１支持ユニット９２に主制御装置９１が取り付けられている状況においては、第１ボックス側結合部２５１を利用した結合状態を解除するために必要な易切断部１８３の切断作業を行うことが不可となる構成としたが、これに代えて、当該切断作業が不可ではないが、第１支持ユニット９２の台座部２３２が易切断部１８３に対して近い位置に存在していることによって、当該切断作業が行いづらくなる構成としてもよい。この場合であっても、易切断部１８３の切断作業を第１支持ユニット９２により邪魔することが可能となり、基板ボックス１２１を不正に開放させる場合の作業を煩雑なものとすることが可能となる。
【０１５４】
（４）第１ボックス側結合部２５１と支持側結合部２５３とが基板ボックス１２１の短辺部に沿って一列に並んでいる構成に限定されることはなく、これら第１ボックス側結合部２５１及び支持側結合部２５３が基板ボックス１２１の所定の短辺部に集約されているものの、長辺部の延びる方向に沿ってずれた位置関係となっている構成としてもよい。また、第１ボックス側結合部２５１及び支持側結合部２５３が基板ボックス１２１の所定の短辺部に集約されているものの、結合具の挿入口の向く方向が相違している構成としてもよい。この場合であっても、第１ボックス側結合部２５１と支持側結合部２５３とが所定の短辺部に集約されることになるため、異なる辺部同士に設けられている構成に比べて、確認作業の容易化が図られる。
【０１５５】
（５）第２ボックス側結合部２５２は、基板ボックス１２１において第１ボックス側結合部２５１及び支持側結合部２５３が設けられた辺部とは異なる辺部に形成されている構成としてもよい。例えば、第２ボックス側結合部２５２が基板ボックス１２１の長辺部に形成されている構成としてもよい。この場合、第２ボックス側結合部２５２を利用した結合状態の解除に際して第１支持ユニット９２が一切邪魔にならないようにすることが可能となる。
【０１５６】
（６）第２ボックス側結合部２５２を利用した結合状態についても、第１支持ユニット９２に主制御装置９１が取り付けられている状況では、その結合状態の解除作業が不可となる又は行いづらくなる構成としてもよい。これにより、メンテナンスや検査のために基板ボックス１２１を一度開放させた後に、第２ボックス側結合部２５２を利用して当該基板ボックス１２１の両構成体１２２，１２３を再度結合した場合において、第１支持ユニット９２に主制御装置９１が取り付けられている状況では当該第２ボックス側結合部２５２を利用した結合状態の解除を不可とする又は行いづらくすることが可能となる。
【０１５７】
（７）第１支持ユニット９２は主制御装置９１の側面から対向するように設けられ、主制御装置９１の背面を受けない構成としたが、これに代えて、主制御装置９１の背面と対向する搭載面を有する構成としてもよい。この場合、第１ボックス側結合部２５１を利用した結合状態の解除に際して第１支持ユニット９２から主制御装置９１を取り外す場合の動作を上記第１の実施形態よりも大きく行う必要が生じ、基板ボックス１２１を不正に開放しようとする際の行為が目立ち易くなり、それに伴ってその発見が容易となる。
【０１５８】
（８）第１支持ユニット９２に背面側から当接する部位が主制御装置９１に形成されていることにより、第１支持ユニット９２から主制御装置９１を取り外す場合には、これらの一体物を通常位置から回動位置に向けて変位させる必要がある構成としたが、主制御装置９１において第１支持ユニット９２に背面側から当接する部位を不具備とすることで、第１支持ユニット９２からの主制御装置９１の取り外しに際してこれらの一体物の回動操作を必要としない構成としてもよい。この場合、正規のメンテナンスや検査のために第１支持ユニット９２から主制御装置９１を取り外す場合の作業の容易化が図られる。
【０１５９】
（９）支持側結合部２５３を利用した主制御装置９１と第１支持ユニット９２との結合状態を解除しないと第１ボックス側結合部２５１を利用した結合状態を解除することができないという構成や、主制御装置９１及び第１支持ユニット９２のうち一方を他方に対して分離させる方向に変位させていない状況では、第１ボックス側結合部２５１を利用した両構成体１２２，１２３の結合状態を解除することが不可となる又は行いづらくなるという構成を、主制御装置９１に加えて又は代えて、音声ランプ制御装置６６、払出制御装置８２、電源及び発射制御装置８３、及び表示制御装置３２１といった他の制御装置に適用してもよい。
【０１６０】
（１０）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１６１】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０１６２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０１６３】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０１６４】
＜特徴Ａ群＞
特徴Ａ１．複数のボックス構成体により形成された基板ボックス（基板ボックス１２１）と、当該基板ボックスの内部空間に収容された制御基板（主制御基板１１１）と、を有する制御基板装置（主制御装置９１）と、
当該制御基板装置を支持する支持手段（第１支持ユニット９２）と、
を備え、
前記複数のボックス構成体として第１構成体（表側構成体１２２）と第２構成体（裏側構成体１２３）とを備え、
前記制御基板装置は、前記基板ボックスの開放を阻止するように前記第１構成体と前記第２構成体とを結合するボックス側結合手段（第１ボックス側結合部２５１）を備え、
部材の破壊を要する所定の結合解除操作を行うことにより、当該ボックス側結合手段を利用した前記第１構成体と前記第２構成体との結合を解除することが可能な構成であり、
前記支持手段は、当該支持手段からの前記制御基板装置の分離を阻止するように当該支持手段と前記制御基板装置とを結合する支持側結合手段（支持側結合部２５３）を備え、
部材の破壊を要する特定の結合解除操作を行うことにより、当該支持側結合手段を利用した前記支持手段と前記制御基板装置との結合を解除することが可能な構成であり、
前記支持側結合手段を利用した前記支持手段と前記制御基板装置との結合を解除していない状況において、前記所定の結合解除操作が制限されることを特徴とする遊技機。
【０１６５】
特徴Ａ１によれば、ボックス側結合手段が設けられていることにより、基板ボックスの開放に際しては部材の破壊を要することとなり、基板ボックスの不正開放の有無を目視により確認することが可能となる。また、支持側結合手段が設けられていることにより、支持手段からの制御基板装置の取り外しに際しては部材の破壊を要することとなり、制御基板装置の不正取り外しの有無を目視により確認することが可能となる。
【０１６６】
この場合に、支持側結合手段を利用した支持手段と制御基板装置との結合を解除していない状況においては、第１構成体と第２構成体との結合を解除するために必要な所定の結合解除操作が制限される。これにより、基板ボックスの開放に際しては、支持側結合手段を利用した結合状態の解除を先に行う必要が生じ、基板ボックスが開放された場合にはボックス側結合手段及び支持側結合手段のそれぞれに関して破壊箇所が生じることになる。よって、基板ボックスの不正開放が行われたか否かの目視確認作業を行い易くなり、さらに不正行為者にとってはその作業が煩雑なものとなる。
【０１６７】
また、支持手段及び支持側結合手段を利用する構成であるため、部品点数の増大化や構成の極端な複雑化を抑制しながら、上記のような優れた作用効果を奏することが可能となる。
【０１６８】
特徴Ａ２．前記支持手段及び前記制御基板装置の両者を分離する方向にこれらの相対位置を変化させていない状況において、前記所定の結合解除操作が制限されることを特徴とする特徴Ａ１に記載の遊技機。
【０１６９】
特徴Ａ２によれば、基板ボックスを開放するためには、支持側結合手段を利用した結合状態の解除を行うだけでなく、支持手段と制御基板装置の少なくとも一方を両者が分離する方向に変位させる必要があるため、当該基板ボックスの不正開放作業がより煩雑なものとなる。さらに当該取り外し作業が必要な構成とすることで、当該不正開放作業が目立ち易くなり、当該作業の発見の容易化が図られる。
【０１７０】
特徴Ａ３．前記支持手段及び前記制御基板装置の両者を分離する方向にこれらの相対位置を変化させるためには、これら一体物を通常位置から変位させる必要があるように、両者の分離方向を規制する分離方向規制手段（当接部２６１）を備えていることを特徴とする特徴Ａ２に記載の遊技機。
【０１７１】
特徴Ａ３によれば、基板ボックスを開放するためには、支持側結合手段を利用した結合状態の解除操作、及び支持手段と制御基板装置とを相互に分離させる変位操作だけでなく、両者の一体物を通常位置から変位させる必要があるため、当該基板ボックスの不正開放作業がより煩雑なものとなる。さらに当該変位作業が必要な構成とすることで、当該不正開放作業が目立ち易くなり、当該作業の発見の容易化が図られる。
【０１７２】
特徴Ａ４．前記ボックス側結合手段は、所定の切断操作を行うことで、他の部位を切断する場合よりも前記所定の結合解除操作を容易に行うことを可能とする易切断部（易切断部１８３）を有し、
前記支持手段は、当該支持手段に前記制御基板装置が取り付けられている状況において前記易切断部に向けた工具の進入経路に対して障害となる位置に存在することにより、前記所定の切断操作を不可とする又は行いづらくする規制部（台座部２３２の側面）を有していることを特徴とする特徴Ａ２又はＡ３に記載の遊技機。
【０１７３】
特徴Ａ４によれば、易切断部が存在していることにより、基板ボックスの開放作業を正規に行う場合の作業性の向上が図られる。一方、支持手段に制御基板装置が取り付けられている状況においては規制部の存在によって、易切断部に対する所定の切断操作が不可となる又は行いづらくなる。これにより、易切断部が存在しているとしても、基板ボックスの不正開放作業に際しては、支持側結合手段による結合状態を解除して、支持手段と制御基板装置とを分離させる必要が生じ、その作業を煩雑なものとさせることが可能となる。
【０１７４】
なお、上記特徴Ａ４のより具体的な構成として、
「前記易切断部は、その切断に際して特定方向から切断用の工具を近付ける必要があるように形成されており、
前記規制部は、前記特定方向から前記易切断部と対向している。」という構成が挙げられる。
【０１７５】
特徴Ａ５．前記支持手段は、前記支持側結合手段が連結部（支持側連結部２４２）を介して一体化されたベース部（台座部２３２）を備え、
前記連結部を切断することにより、前記支持側結合手段を利用した前記支持手段と前記制御基板装置との結合を解除することが可能な構成であり、
前記規制部は、前記ベース部が有していることを特徴とする特徴Ａ４に記載の遊技機。
【０１７６】
特徴Ａ５によれば、支持側結合手段を支持するための部位が、易切断部の切断を不可とする又は行いづらくする部位として兼用される。これにより、構成の簡素化を図りながら、既に説明したような優れた作用効果を奏することが可能となる。
【０１７７】
特徴Ａ６．前記支持側結合手段は、少なくとも前記規制部において前記易切断部に対する前記所定の切断操作を不可とする又は行いづらくする領域の両端側にそれぞれ存在するように複数設けられていることを特徴とする特徴Ａ４又はＡ５に記載の遊技機。
【０１７８】
特徴Ａ６によれば、規制部に外力を加えて、易切断部から離間される側に規制部を変位させようとしても、当該規制部における両端側に支持側結合手段が設けられており、それら支持側結合手段を通じて当該規制部の変位規制が強固に行われることになる。よって、上記のように規制部を不正に変位させようとする行為を阻止することが可能となり、さらにはそれを支持側結合手段を利用して行うことが可能となる。
【０１７９】
特徴Ａ７．前記第１構成体と前記第２構成体とが結合されていない状態においてこれら構成体の一方を他方に対してスライド移動させることで、前記基板ボックスの内部空間を開放させることが可能な構成であり、
前記ボックス側結合手段は、前記第１構成体に形成された結合部と前記第２構成体に形成された結合部とが重ね合わされた状態で結合具（Ｌ字金具１９１）が挿入されることで、前記スライド移動を行って前記基板ボックスの内部空間を開放させようとしても前記基板ボックスの特定部位（突板部１８４）が前記結合具と当接することでそれが阻止される結合状態となる構成であり、
前記スライド移動が所定方向に沿って行われる構成において、前記基板ボックスにおける前記所定方向の端部に前記ボックス側結合手段が設けられており、
前記規制部は、前記支持手段に前記制御基板装置が取り付けられている状況において、前記ボックス側結合手段に対して前記所定方向の外側から対向するように形成されており、
前記特定部位は、前記ボックス側結合手段において前記規制部と対向する側に形成されており、
前記易切断部は、当該易切断部を切断することにより前記特定部位を除去することが可能なように形成されていることを特徴とする特徴Ａ４乃至Ａ６のいずれか１に記載の遊技機。
【０１８０】
特徴Ａ７によれば、基板ボックスを開放させるためのスライド移動が結合具と特定部位との当接により阻止される構成において、その特定部位を除去することが可能なように易切断部が形成されており、その易切断部に対する所定の切断操作を不可とする又は行いづらくするように支持手段が設けられている。これにより、易切断部側に大きく入り込むようにして規制部を設ける必要がなくなり、支持手段の形状が複雑化してしまうことを抑制しながら既に説明したような優れた作用効果を奏することが可能となる。
【０１８１】
特徴Ａ８．前記制御基板装置は、前記基板ボックスの開放を阻止するように前記第１構成体と前記第２構成体とを結合する別結合手段（第２ボックス側結合部２５２）を前記ボックス側結合手段とは別に備えており、
当該別結合手段は、前記基板ボックスにおいて前記ボックス側結合手段が設けられた側と同じ側に設けられており、
前記別結合手段を利用した結合状態の解除は、前記支持側結合手段を利用した結合状態が解除されていなかったとしても制限されないことを特徴とする特徴Ａ１乃至Ａ７のいずれか１に記載の遊技機。
【０１８２】
特徴Ａ８によれば、第１構成体と第２構成体とを結合するための結合手段として、ボックス側結合手段とは別に別結合手段が設けられていることにより、第１構成体と第２構成体との結合作業を複数回行うことが可能となる。また、別結合手段は基板ボックスにおいてボックス側結合手段が設けられた側と同じ側に設けられているため、それら結合手段の位置が集約されることとなり、結合手段を目視確認する場合の作業の容易化が図られる。
【０１８３】
この場合に、別結合手段を利用した結合状態の解除は、支持側結合手段を利用した結合状態が解除されていなかったとしても制限されない。これにより、例えば、支持手段側による結合解除作業の制限を必要とする遊技ホールにおいてはボックス側結合手段を利用して両構成体を結合状態とし、支持手段側による結合解除作業の制限を必要としない遊技ホールにおいては別結合手段を利用して両構成体を結合状態とするといったように、遊技ホールにおいて選択的な取り扱いを行うことが可能となる。よって、使用目的の多様性に対応することが可能となる。
【０１８４】
特徴Ａ９．前記ボックス側結合手段は、前記基板ボックスの所定の辺部に設けられており、
前記支持側結合手段は、前記所定の辺部に設けられていることを特徴とする特徴Ａ１乃至Ａ８のいずれか１に記載の遊技機。
【０１８５】
特徴Ａ９によれば、支持側結合手段は基板ボックスにおいてボックス側結合手段が設けられた所定の辺部に設けられているため、それら結合手段の位置が集約されることとなり、結合手段を目視確認する場合の作業の容易化が図られる。
【０１８６】
特徴Ａ１０．前記ボックス側結合手段は、所定の切断操作を行うことで、他の部位を切断する場合よりも前記所定の結合解除操作を容易に行うことを可能とする易切断部（易切断部１８３）を有し、
前記支持側結合手段は、特定の切断操作を行うことで、他の部位を切断する場合よりも前記特定の結合解除操作を容易に行うことを可能とする易切断部（支持側連結部２４２）を有し、
前記ボックス側結合手段及び前記支持側結合手段は、前記基板ボックスにおいて所定の面が向く側から当該基板ボックスを目視した場合に、前記ボックス側結合手段の易切断部及び前記支持側結合手段の易切断部の両方を目視確認することが可能なように集約されていることを特徴とする特徴Ａ９に記載の遊技機。
【０１８７】
特徴Ａ１０によれば、各易切断部を目視確認する場合において支持手段及び制御基板装置の一体物の面の向きの変更を要しない。これにより、当該確認作業の容易化が図られる。
【０１８８】
特徴Ａ１１．前記ボックス側結合手段は、前記第１構成体に形成された結合部と前記第２構成体に形成された結合部とが重ね合わされた状態で結合具（Ｌ字金具１９１）が挿入されることで、これら第１構成体と第２構成体とを結合する構成であり、
前記支持側結合手段は、前記制御基板装置に形成された結合部と前記支持手段に形成された結合部とが重ね合わされた状態で結合具（破断ネジ２４７）が挿入されることで、これら制御基板装置と支持手段とを結合する構成であり、
前記ボックス側結合手段及び前記支持側結合手段は、対応する前記結合具の挿入口が同一方向を向くように形成されていることを特徴とする特徴Ａ９又はＡ１０に記載の遊技機。
【０１８９】
特徴Ａ１１によれば、各結合手段は、対応する結合具の挿入口が同一方向を向くように形成されているため、各結合手段に対して結合用の処理が施されているか否かの目視確認の容易化が図られる。
【０１９０】
特徴Ａ１２．前記ボックス側結合手段及び前記支持側結合手段のうち少なくとも一方は、他方の結合手段間に存在していることを特徴とする特徴Ａ９乃至Ａ１１のいずれか１に記載の遊技機。
【０１９１】
少ない数の結合手段により結合強度が高められた範囲を広範囲としようとすると、同一種類の結合手段をある程度離間させて複数配置する必要が生じる。この場合に、その離間させた空間に他の種類の結合手段を配置することで、当該空間を利用しながら複数種類の結合手段を集約配置することが可能となり、結果的にコンパクト化を図りながら、既に説明したような優れた作用効果を奏することが可能となる。
【０１９２】
特徴Ａ１３．前記支持手段は、前記支持側結合手段が連結部（支持側連結部２４２）を介して一体化されたベース部（台座部２３２）を備え、
前記連結部を切断することにより、前記支持側結合手段を利用した前記支持手段と前記制御基板装置との結合を解除することが可能な構成であり、
前記連結部の周囲には前記ボックス側結合手段が存在しない空間が確保されていることにより、前記支持手段に前記制御基板装置が取り付けられている状況において前記連結部を切断することが可能な構成であることを特徴とする特徴Ａ９乃至Ａ１２のいずれか１に記載の遊技機。
【０１９３】
特徴Ａ１３によれば、各結合手段が集約された状況であっても、支持側結合手段を利用した支持手段と制御基板装置との結合状態の解除作業を、支持手段に制御基板装置に取り付けた状況で行うことが可能となる。
【０１９４】
特徴Ａ１４．前記ボックス側結合手段は、前記第１構成体に形成された結合部と前記第２構成体に形成された結合部とが重ね合わされた状態で結合具（Ｌ字金具１９１）が挿入されることで、これら第１構成体と第２構成体とを結合する構成であり、
前記支持側結合手段は、前記制御基板装置に形成された結合部と前記支持手段に形成された結合部とが重ね合わされた状態で結合具（破断ネジ２４７）が挿入されることで、これら制御基板装置と支持手段とを結合する構成であり、
前記ボックス側結合手段の前記結合具の取り外し方向への変位を規制する部位、及び前記支持側結合手段の前記結合具の取り外し方向への変位を規制する部位は、前記基板ボックスの前記所定の辺部に沿って形成された集約領域（裏側結合領域１４３）に集約されており、
前記ベース部は、前記支持手段に前記制御基板装置が取り付けられている状況において、前記所定の辺部を間に挟むようにして前記基板ボックスに対して並設されており、
前記支持側結合手段は、前記集約領域側に入り込んでいることを特徴とする特徴Ａ１３に記載の遊技機。
【０１９５】
特徴Ａ１４によれば、各結合手段において結合具の取り外し方向への変位を規制する部位に直接アクセスして、当該結合具を利用した結合状態を解除しようとしても、集約領域においては一方の結合手段に対して他方の結合手段が立体的な障害として存在するため、このような直接的なアクセスが行いづらくなる。
【０１９６】
特徴Ａ１５．前記支持手段は、
当該支持手段を支持受け部側にて受けさせるための構造を生じさせる支持用部材（支持用部材２２１）と、
前記支持側結合手段が一体化された結合用部材（結合用部材２３１）と、
これら支持用部材及び結合用部材を一体化させる一体化部材（破断ネジ２３６）と、
を備えていることを特徴とする特徴Ａ１乃至Ａ１４のいずれか１に記載の遊技機。
【０１９７】
特徴Ａ１５によれば、支持手段を支持受け部側にて受けさせるための構造と、支持側結合手段とはそれぞれ使用目的が異なるため、それぞれ異なるタイミングで設計変更が行われ得る。この場合に、支持用部材と結合用部材とが別々に設けられ、それらが一体化部材により一体化されている構成であるため、上記設計変更に際して一部の部材のみについて設計変更を行えばよいため、当該設計変更に対処し易くなる。
【０１９８】
特徴Ａ１６．前記一体化手段は、一体化解除操作を不可とするように設けられていることを特徴とする特徴Ａ１５に記載の遊技機。
【０１９９】
特徴Ａ１６によれば、支持用部材と結合用部材とが一体化された状態を不正に解除しようとしても、それが行いづらくなる。
【０２００】
＜特徴Ｂ群＞
特徴Ｂ１．複数のボックス構成体により形成された基板ボックス（基板ボックス１２１）と、当該基板ボックスの内部空間に収容された制御基板（主制御基板１１１）と、を有する制御基板装置（主制御装置９１）と、
当該制御基板装置を支持する支持手段（第１支持ユニット９２）と、
を備え、
前記複数のボックス構成体として第１構成体（表側構成体１２２）と第２構成体（裏側構成体１２３）とを備え、
前記制御基板装置は、前記基板ボックスの開放を阻止するように前記第１構成体と前記第２構成体とを結合するボックス側結合手段（第１ボックス側結合部２５１）を備え、
部材の破壊を要する所定の結合解除操作を行うことにより、当該ボックス側結合手段を利用した前記第１構成体と前記第２構成体との結合を解除することが可能な構成であり、
前記支持手段は、当該支持手段からの前記制御基板装置の分離を阻止するように当該支持手段と前記制御基板装置とを結合する支持側結合手段（支持側結合部２５３）を備え、
部材の破壊を要する特定の結合解除操作を行うことにより、当該支持側結合手段を利用した前記支持手段と前記制御基板装置との結合を解除することが可能な構成であり、
前記ボックス側結合手段は、前記基板ボックスの所定の辺部に設けられており、
前記支持側結合手段は、前記所定の辺部に設けられていることを特徴とする遊技機。
【０２０１】
特徴Ｂ１によれば、ボックス側結合手段が設けられていることにより、基板ボックスの開放に際しては部材の破壊を要することとなり、基板ボックスの不正開放の有無を目視により確認することが可能となる。また、支持側結合手段が設けられていることにより、支持手段からの制御基板装置の取り外しに際しては部材の破壊を要することとなり、制御基板装置の不正取り外しの有無を目視により確認することが可能となる。
【０２０２】
この場合に、支持側結合手段は基板ボックスにおいてボックス側結合手段が設けられた所定の辺部に設けられているため、それら結合手段の位置が集約されることとなり、結合手段を目視確認する場合の作業の容易化が図られる。
【０２０３】
特徴Ｂ２．前記ボックス側結合手段は、所定の切断操作を行うことで、他の部位を切断する場合よりも前記所定の結合解除操作を容易に行うことを可能とする易切断部（易切断部１８３）を有し、
前記支持側結合手段は、特定の切断操作を行うことで、他の部位を切断する場合よりも前記特定の結合解除操作を容易に行うことを可能とする易切断部（支持側連結部２４２）を有し、
前記ボックス側結合手段及び前記支持側結合手段は、前記基板ボックスにおいて所定の面が向く側から当該基板ボックスを目視した場合に、前記ボックス側結合手段の易切断部及び前記支持側結合手段の易切断部の両方を目視確認することが可能なように集約されていることを特徴とする特徴Ｂ１に記載の遊技機。
【０２０４】
特徴Ｂ２によれば、各易切断部を目視確認する場合において支持手段及び制御基板装置の一体物の面の向きの変更を要しない。これにより、当該確認作業の容易化が図られる。
【０２０５】
特徴Ｂ３．前記ボックス側結合手段は、前記第１構成体に形成された結合部と前記第２構成体に形成された結合部とが重ね合わされた状態で結合具（Ｌ字金具１９１）が挿入されることで、これら第１構成体と第２構成体とを結合する構成であり、
前記支持側結合手段は、前記制御基板装置に形成された結合部と前記支持手段に形成された結合部とが重ね合わされた状態で結合具（破断ネジ２４７）が挿入されることで、これら制御基板装置と支持手段とを結合する構成であり、
前記ボックス側結合手段及び前記支持側結合手段は、対応する前記結合具の挿入口が同一方向を向くように形成されていることを特徴とする特徴Ｂ１又はＢ２に記載の遊技機。
【０２０６】
特徴Ｂ３によれば、各結合手段は、対応する結合具の挿入口が同一方向を向くように形成されているため、各結合手段に対して結合用の処理が施されているか否かの目視確認の容易化が図られる。
【０２０７】
特徴Ｂ４．前記ボックス側結合手段及び前記支持側結合手段のうち少なくとも一方は、他方の結合手段間に存在していることを特徴とする特徴Ｂ１乃至Ｂ３のいずれか１に記載の遊技機。
【０２０８】
少ない数の結合手段により結合強度が高められた範囲を広範囲としようとすると、同一種類の結合手段をある程度離間させて複数配置する必要が生じる。この場合に、その離間させた空間に他の種類の結合手段を配置することで、当該空間を利用しながら各結合手段を集約配置することが可能となり、結果的にコンパクト化を図りながら、既に説明したような優れた効果を奏することが可能となる。
【０２０９】
特徴Ｂ５．前記ボックス側結合手段は、前記第１構成体に形成された結合部と前記第２構成体に形成された結合部とが重ね合わされた状態で結合具（Ｌ字金具１９１）が挿入されることで、これら第１構成体と第２構成体とを結合する構成であり、
前記支持側結合手段は、前記制御基板装置に形成された結合部と前記支持手段に形成された結合部とが重ね合わされた状態で結合具（破断ネジ２４７）が挿入されることで、これら制御基板装置と支持手段とを結合する構成であり、
前記ボックス側結合手段の前記結合具の取り外し方向への変位を規制する部位、及び前記支持側結合手段の前記結合具の取り外し方向への変位を規制する部位は、前記基板ボックスの前記所定の辺部に沿って形成された集約領域（裏側結合領域１４３）に集約されており、
前記支持側結合手段は、前記集約領域側に入り込んでいることを特徴とする特徴Ｂ１乃至Ｂ４のいずれか１に記載の遊技機。
【０２１０】
特徴Ｂ５によれば、各結合手段において結合具の取り外し方向への変位を規制する部位に直接アクセスして、当該結合具を利用した結合状態を解除しようとしても、集約領域においては一方の結合手段に対して他方の結合手段が立体的な障害として存在するため、このような直接的なアクセスが行いづらくなる。
【０２１１】
特徴Ｂ６．前記支持手段は、
当該支持手段を支持受け部側にて受けさせるための構造を生じさせる支持用部材（支持用部材２２１）と、
前記支持側結合手段が一体化された結合用部材（結合用部材２３１）と、
これら支持用部材及び結合用部材を一体化させる一体化部材（破断ネジ２３６）と、
を備えていることを特徴とする特徴Ｂ１乃至Ｂ５のいずれか１に記載の遊技機。
【０２１２】
特徴Ｂ６によれば、支持手段を支持受け部側にて受けさせるための構造と、支持側結合手段とはそれぞれ使用目的が異なるため、それぞれ異なるタイミングで設計変更が行われ得る。この場合に、支持用部材と結合用部材とが別々に設けられ、それらが一体化部材により一体化されている構成であるため、上記設計変更に際して一部の部材のみについて設計変更を行えばよいため、当該設計変更に対処し易くなる。
【０２１３】
特徴Ｂ７．前記一体化手段は、一体化解除操作を不可とするように設けられていることを特徴とする特徴Ｂ６に記載の遊技機。
【０２１４】
特徴Ｂ７によれば、支持用部材と結合用部材とが一体化された状態を不正に解除しようとしても、それが行いづらくなる。
【０２１５】
上記特徴Ａ群及び上記特徴Ｂ群の発明は、以下の課題を解決することが可能である。
【０２１６】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。
【０２１７】
この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。
【０２１８】
このような不正行為に対処すべく、例えば、基板ボックスに封印構造（いわゆる、カシメ構造）を設けて基板ボックスの開封時には破壊等による開封履歴を残すようにする等の不正対策が採用されている。このような不正対策は、基板ボックスが開封された事実や制御基板が交換された事実を目視確認する場合にその確認作業を補助するものであり、またこのような不正対策の存在により不正行為を躊躇させる効果がある。
【０２１９】
しかしながら、上記封印構造の不正対策が施されていても未だに不正行為が行われているのが実情であり、制御装置における防犯機能の向上には改善の余地がある。
【０２２０】
＜特徴Ｃ群＞
特徴Ｃ１．基板ボックス（基板ボックス１２１）と、当該基板ボックスの内部空間に収容される制御基板（主制御基板１１１）と、を有する制御基板装置（主制御装置９１）と、
当該制御基板装置を支持する支持手段（第１支持ユニット９２）と、
を備え、
当該支持手段は、
当該支持手段を支持受け部側にて受けさせるための構造を生じさせる支持用部材（支持用部材２２１）と、
前記支持側結合手段が一体化された結合用部材（結合用部材２３１）と、
これら支持用部材及び結合用部材を一体化させる一体化部材（破断ネジ２３６）と、
を備えていることを特徴とする遊技機。
【０２２１】
特徴Ｃ１によれば、支持手段を支持受け部側にて受けさせるための構造と、支持側結合手段とはそれぞれ使用目的が異なるため、それぞれ異なるタイミングで設計変更が行われ得る。この場合に、支持用部材と結合用部材とが別々に設けられ、それらが一体化部材により一体化されている構成であるため、上記設計変更に際して一部の部材のみについて設計変更を行えばよいため、当該設計変更に対処し易くなる。
【０２２２】
特徴Ｃ２．前記一体化手段は、一体化解除操作を不可とするように設けられていることを特徴とする特徴Ｃ１に記載の遊技機。
【０２２３】
特徴Ｃ２によれば、支持用部材と結合用部材とが一体化された状態を不正に解除しようとしても、それが行いづらくなる。
【０２２４】
特徴Ｃ３．基板ボックス（基板ボックス１２１）と、当該基板ボックスの内部空間に収容される制御基板（主制御基板１１１）と、を有する制御基板装置（主制御装置９１）と、
当該制御基板装置を支持する支持手段（第１支持ユニット９２）と、
を備え、
所定の分離操作を行うことにより、前記支持手段から前記制御基板装置を取り外すことが可能な構成であり、
前記支持手段は、前記制御基板装置の表側の板面及び裏側の板面と対向しないようにして、前記制御基板装置の一の側面に対して設けられていることを特徴とする遊技機。
【０２２５】
特徴Ｃ３によれば、支持手段が制御基板装置の表側の板面だけでなく、裏側の板面に対しても対向しないように設けられていることにより、制御基板装置の目視確認に際して支持手段が邪魔になりづらくなる。この場合、支持手段の機能を基板ボックスと一体形成することも考えられるが、それを敢えて支持手段として別に形成することで、支持に関する構成の設計変更に際しては、基板ボックスはそれまでの構造を利用しながら支持手段についてのみ設計変更を行えばよくなる。これは逆の場合も同様である。これにより、部分的な設計変更を行う場合であっても、部材を流用することが可能となる。
【０２２６】
上記特徴Ｃ群の発明は、以下の課題を解決することが可能である。
【０２２７】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。
【０２２８】
この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。
【０２２９】
このような不正行為に対処すべく、例えば、基板ボックスに封印構造（いわゆる、カシメ構造）を設けて基板ボックスの開封時には破壊等による開封履歴を残すようにする等の不正対策が採用されている。このような不正対策は、基板ボックスが開封された事実や制御基板が交換された事実を目視確認する場合にその確認作業を補助するものであり、またこのような不正対策の存在により不正行為を躊躇させる効果がある。
【０２３０】
また、上記のように制御基板が収容された基板ボックスを有する制御基板装置は、支持用台座に当該制御基板装置の裏面側の板面が対向するようにして当該支持用台座に搭載され、当該支持用台座が支持受け部にて受けられていることで、所定の設置箇所に設置されている。
【０２３１】
ここで、制御基板装置は複数の機種間で共通して使用される一方で、支持用台座などといった支持手段の構成については機種間で変更されることが起こり得る。このような事情において、かかる設計変更に好適に対処する必要がある。
【０２３２】
以下に、以上の各特徴を適用し得る各種遊技機の基本構成を示す。
【０２３３】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２３４】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０２３５】
１０…パチンコ機、９１…主制御装置、９２…第１支持ユニット、１１１…主制御基板、１２１…基板ボックス、１２２…表側構成体、１２３…裏側構成体、１４３…裏側結合領域、１８３…易切断部、１８４…突板部、１９１…Ｌ字金具、２２１…支持用部材、２３１…結合用部材、２３２…台座部、２３６…破断ネジ、２４２…支持側連結部、２４７…破断ネジ、２５１…第１ボックス側結合部、２５２…第２ボックス側結合部、２５３…支持側結合部。
【図１】
0006035758.tif 000002
【図２】
0006035758.tif 000003
【図３】
0006035758.tif 000004
【図４】
0006035758.tif 000005
【図５】
0006035758.tif 000006
【図６】
0006035758.tif 000007
【図７】
0006035758.tif 000008
【図８】
0006035758.tif 000009
【図９】
0006035758.tif 000010
【図１０】
0006035758.tif 000011
【図１１】
0006035758.tif 000012
【図１２】
0006035758.tif 000013
【図１３】
0006035758.tif 000014
【図１４】
0006035758.tif 000015
【図１５】
0006035758.tif 000016
【図１６】
0006035758.tif 000017
【図１７】
0006035758.tif 000018
【図１８】
0006035758.tif 000019
【図１９】
0006035758.tif 000020